(57)【特許請求の範囲】
【請求項１】
データベースシステムであって、
複数の要素が蓄積された要素蓄積情報を記憶する第１の記憶手段と、
少なくとも１以上の要素に係る情報の入力に応答して、前記要素蓄積情報に追加情報を追記する追記手段と、
第１の識別情報の入力、および前記追記手段による前記追加情報の追記に応答して、前記第１の識別情報とは異なる第２の識別情報に対して、前記追加情報の可視的な出力に係る情報をそれぞれ関連付けた出力設定情報を記憶する第２の記憶手段と、
前記第２の識別情報の入力、およびユーザによる所定の動作に応じて、前記出力設定情報において前記第２の識別情報に対して関連付けられた前記可視的な出力に係る情報を変更する変更手段と、
ユーザによる抽出条件の入力に応じて、前記要素蓄積情報に含まれる少なくとも一部の情報を、前記要素蓄積情報から抽出する抽出手段と、
前記第２の識別情報が入力された場合に、前記出力設定情報において前記第２の識別情報に対して関連付けられている前記可視的な出力に係る情報に従って、前記抽出手段によって抽出された前記一部の情報を可視的に出力する表示手段と、
を備え、
前記要素蓄積情報が、
要素の組合せをそれぞれ示す複数の組合せ情報が蓄積されて構成されており、
前記追加情報が、
１以上の追加要素を含み、
前記表示手段が、
前記変更手段によって前記追加要素の可視的な出力に係る情報が変更される際に、前記組合せ情報において前記追加要素に対して組み合わされた前記追加要素とは異なる１以上の要素について、可視的な出力に係る情報の変更を要求する表示要素を可視的に出力することを特徴とするデータベースシステム。
【請求項２】
データベースシステムであって、
サーバと、第１端末と、第２端末とを備え、
前記サーバが、
複数の要素が蓄積された要素蓄積情報を記憶する第１の記憶手段と、
前記第１端末からの少なくとも１以上の要素に係る情報の入力に応答して、前記要素蓄積情報に追加情報を追記する追記手段と、
前記追記手段による前記追加情報の追記に応答して、前記第２端末を特定する情報に対して、前記追加情報の可視的な出力に係る情報を関連付けた出力設定情報を記憶する第２の記憶手段と、
前記第２端末からの要求に応答して、前記出力設定情報において前記第２端末を特定する情報に対して関連付けられている前記可視的な出力に係る情報を変更する変更手段と、
前記第２端末からの抽出条件の入力に応じて、前記要素蓄積情報に含まれる少なくとも一部の情報を、前記要素蓄積情報から抽出する抽出手段と、
を有し、
前記第２端末が、
前記抽出手段によって抽出された前記一部の情報を可視的に出力する画面を表示する表示手段、
を有し、
前記画面が、
前記出力設定情報において前記第２端末を特定する情報に対して関連付けられている前記可視的な出力に係る情報に従った前記一部の情報に係る画面であり、
前記要素蓄積情報が、
要素の組合せをそれぞれ示す複数の組合せ情報が蓄積されて構成されており、
前記追加情報が、
１以上の追加要素を含み、
前記表示手段が、
前記変更手段によって前記追加要素の可視的な出力に係る情報が変更される際に、前記組合せ情報において前記追加要素に対して組み合わされた前記追加要素とは異なる１以上の要素について、可視的な出力に係る情報の変更を要求する表示要素を可視的に出力することを特徴とするデータベースシステム。
【請求項３】
データベースシステムであって、
サーバと、第１端末と、第２端末とを備え、
前記サーバが、
複数の要素が蓄積された要素蓄積情報を記憶する第１の記憶手段と、
前記第１端末からの少なくとも１以上の要素に係る情報の入力に応答して、前記要素蓄積情報に追加情報を追記する追記手段と、
前記第２端末からの抽出条件の入力に応じて、前記要素蓄積情報に含まれる少なくとも一部の情報を、前記要素蓄積情報から抽出する抽出手段と、
を有し、
前記第２端末が、
前記追記手段による前記追加情報の追記に応答して、前記追加情報の可視的な出力に係る情報を含む出力設定情報を記憶する第２の記憶手段と、
ユーザによる情報の入力に応答して、前記出力設定情報に含まれた前記可視的な出力に係る情報を変更する変更手段と、
前記抽出手段によって抽出された前記一部の情報を可視的に出力する画面を表示する表示手段と、
を有し、
前記画面が、
前記出力設定情報に含まれた前記可視的な出力に係る情報に従った前記一部の情報に係る画面であり、
前記要素蓄積情報が、
要素の組合せをそれぞれ示す複数の組合せ情報が蓄積されて構成されており、
前記追加情報が、
１以上の追加要素を含み、
前記表示手段が、
前記変更手段によって前記追加要素の可視的な出力に係る情報が変更される際に、前記組合せ情報において前記追加要素に対して組み合わされた前記追加要素とは異なる１以上の要素について、可視的な出力に係る情報の変更を要求する表示要素を可視的に出力することを特徴とするデータベースシステム。
【請求項４】
請求項１から請求項３のいずれかに記載のデータベースシステムであって、
前記表示手段が、
前記変更手段によって前記追加要素の可視的な出力に係る情報が変更される際に、前記組合せ情報において前記追加要素に対して組み合わされた前記追加要素とは異なる１以上の要素について、可視的な出力に係る情報の変更が指定されなかった場合に、所定の警告を示す表示要素を、可視的に出力することを特徴とするデータベースシステム。
【請求項５】
データベースシステムであって、
複数の要素が蓄積された要素蓄積情報を記憶する第１の記憶手段と、
少なくとも１以上の要素に係る情報の入力に応答して、前記要素蓄積情報に追加情報を追記する追記手段と、
第１の識別情報の入力、および前記追記手段による前記追加情報の追記に応答して、前記第１の識別情報とは異なる第２の識別情報に対して、前記追加情報の可視的な出力に係る情報をそれぞれ関連付けた出力設定情報を記憶する第２の記憶手段と、
前記第２の識別情報の入力、およびユーザによる所定の動作に応じて、前記出力設定情報において前記第２の識別情報に対して関連付けられた前記可視的な出力に係る情報を変更する変更手段と、
ユーザによる抽出条件の入力に応じて、前記要素蓄積情報に含まれる少なくとも一部の情報を、前記要素蓄積情報から抽出する抽出手段と、
前記第２の識別情報が入力された場合に、前記出力設定情報において前記第２の識別情報に対して関連付けられている前記可視的な出力に係る情報に従って、前記抽出手段によって抽出された前記一部の情報を可視的に出力する表示手段と、
を備え、
前記要素蓄積情報が、
要素の組合せをそれぞれ示す複数の組合せ情報が蓄積されて構成されており、
前記追加情報が、
１以上の追加要素を含み、
前記変更手段が、
前記追加要素の可視的な出力に係る情報を変更する際に、前記組合せ情報において前記追加要素に対して組み合わされた前記追加要素とは異なる１以上の要素について、可視的な出力に係る情報を変更することを特徴とするデータベースシステム。
【請求項６】
データベースシステムであって、
サーバと、第１端末と、第２端末とを備え、
前記サーバが、
複数の要素が蓄積された要素蓄積情報を記憶する第１の記憶手段と、
前記第１端末からの少なくとも１以上の要素に係る情報の入力に応答して、前記要素蓄積情報に追加情報を追記する追記手段と、
前記追記手段による前記追加情報の追記に応答して、前記第２端末を特定する情報に対して、前記追加情報の可視的な出力に係る情報を関連付けた出力設定情報を記憶する第２の記憶手段と、
前記第２端末からの要求に応答して、前記出力設定情報において前記第２端末を特定する情報に対して関連付けられている前記可視的な出力に係る情報を変更する変更手段と、
前記第２端末からの抽出条件の入力に応じて、前記要素蓄積情報に含まれる少なくとも一部の情報を、前記要素蓄積情報から抽出する抽出手段と、
を有し、
前記第２端末が、
前記抽出手段によって抽出された前記一部の情報を可視的に出力する画面を表示する表示手段、
を有し、
前記画面が、
前記出力設定情報において前記第２端末を特定する情報に対して関連付けられている前記可視的な出力に係る情報に従った前記一部の情報に係る画面であり、
前記要素蓄積情報が、
要素の組合せをそれぞれ示す複数の組合せ情報が蓄積されて構成されており、
前記追加情報が、
１以上の追加要素を含み、
前記変更手段が、
前記追加要素の可視的な出力に係る情報を変更する際に、前記組合せ情報において前記追加要素に対して組み合わされた前記追加要素とは異なる１以上の要素について、可視的な出力に係る情報を変更することを特徴とするデータベースシステム。
【請求項７】
データベースシステムであって、
サーバと、第１端末と、第２端末とを備え、
前記サーバが、
複数の要素が蓄積された要素蓄積情報を記憶する第１の記憶手段と、
前記第１端末からの少なくとも１以上の要素に係る情報の入力に応答して、前記要素蓄積情報に追加情報を追記する追記手段と、
前記第２端末からの抽出条件の入力に応じて、前記要素蓄積情報に含まれる少なくとも一部の情報を、前記要素蓄積情報から抽出する抽出手段と、
を有し、
前記第２端末が、
前記追記手段による前記追加情報の追記に応答して、前記追加情報の可視的な出力に係る情報を含む出力設定情報を記憶する第２の記憶手段と、
ユーザによる情報の入力に応答して、前記出力設定情報に含まれた前記可視的な出力に係る情報を変更する変更手段と、
前記抽出手段によって抽出された前記一部の情報を可視的に出力する画面を表示する表示手段と、
を有し、
前記画面が、
前記出力設定情報に含まれた前記可視的な出力に係る情報に従った前記一部の情報に係る画面であり、
前記要素蓄積情報が、
要素の組合せをそれぞれ示す複数の組合せ情報が蓄積されて構成されており、
前記追加情報が、
１以上の追加要素を含み、
前記変更手段が、
前記追加要素の可視的な出力に係る情報を変更する際に、前記組合せ情報において前記追加要素に対して組み合わされた前記追加要素とは異なる１以上の要素について、可視的な出力に係る情報を変更することを特徴とするデータベースシステム。
【請求項８】
請求項１から請求項７のいずれかに記載のデータベースシステムであって、
前記追加情報が、
１以上の要素を含むことを特徴とするデータベースシステム。
【請求項９】
請求項１から請求項８のいずれかに記載のデータベースシステムであって、
前記表示手段が、
前記追記手段による前記追加情報の追記に応じて、前記追加情報が追記された旨を示す表示要素を可視的に出力することを特徴とするデータベースシステム。
【請求項１０】
請求項１から請求項９のいずれかに記載のデータベースシステムであって、
前記表示手段が、
ユーザによる所定の動作に応答して、前記出力設定情報を可視的に出力することを特徴とするデータベースシステム。
【請求項１１】
請求項１から請求項１０の何れかに記載のデータベースシステムであって、
前記第１の記憶手段に記憶される前記要素蓄積情報を、他の複数の要素が蓄積された要素蓄積情報に一括して更新する一括更新手段、
を更に備え、
前記一括更新手段によって前記要素蓄積情報が一括して更新される際に、前記第２の記憶手段が、前記出力設定情報を維持することを特徴とするデータベースシステム。
【請求項１２】
データベースシステムに含まれるコンピュータによって実行されることにより、前記データベースシステムを、請求項１から請求項１１のいずれかに記載のデータベースシステムとして機能させるプログラム。
【発明の詳細な説明】
【技術分野】
【０００１】
本発明は、データベースシステムに関する。
【背景技術】
【０００２】
過去に蓄積された知識を示す情報を利用して報告書などといった各種レポートを作成する場合、従来は、何らかの方法で過去のレポートを検索してその内容を参照する必要があった。このような作業では、膨大なレポートから、状況に応じた過去のレポートを見つけ出さなければならず、過去の知識を有効利用するのが難しかった。【０００３】
そこで、レポートを構成する複数の要素を項目毎に分類して、各項目にそれぞれ属する各要素を各項目間で相互に関連付けてデータベースを構築しておき、ユーザに指定された抽出条件に対応する一部の情報をデータベースから抽出し、その一覧を提示する技術が提案されている（例えば、特開２００７−１４０８５９号公報など）。【０００４】
この特開２００７−１４０８５９号公報で提案されている技術によれば、ユーザが情報の一覧を参照することで過去の知識を利用しつつレポートを作成することができるため、的確かつ円滑なレポートの作成が支援される。また、他のユーザによって作成されたレポートに基づく知識も、データベースに対して随時反映されるため、何れのユーザも共有の知識を利用することが可能である。すなわち、他のユーザの知識を参照して、有効利用することができる。例えば、医療の現場では、新人の読影医が、ベテランの読影医の知識を参照して利用するなどといった事が可能となる。【０００５】
また、データベースに対する情報の追加や、データベースからの情報の抽出に関する技術も種々提案されている（例えば、特開２００４−１９９４０６号公報、特開２００３−１０８４１７号公報など）。【０００６】
しかしながら、ユーザ毎に、データベースから参照する情報の範囲を限定するなど、状況に応じて参照する情報の範囲をカスタマイズしたい場合がある。例えば、特定の専門領域の医師が情報を参照する場合には、特定の専門領域に関する詳細な情報を参照し、特定の専門領域以外の他の専門領域を有する医師が情報を参照する場合には、特定の専門領域に関する大まかな情報を参照するような態様が考えられる。つまり、ユーザの知識のレベルによって、必要な情報が不足したり、不必要な情報が提示され過ぎたりすると、非常に使い難いものとなる。【０００７】
この点については、上記特開２００７−１４０８５９号公報に係る技術では、何れのユーザも共有の知識を利用するため、ユーザ毎に参照する情報の範囲をカスタマイズすることができない。【０００８】
そこで、特開２００４−１９９４０６号公報の技術のように、あるクライアントからデータベースに情報を追加する際に、追加した情報を他のクライアントで閲覧可能とするか否かを決定する構成を適用することが考えられる。しかしながら、このような構成では、データベースから情報を参照するユーザ自身が主体的に参照する情報の範囲をカスタマイズすることができない。【０００９】
また、特開２００３−１０８４１７号公報の技術のように、データベースのうち情報を検索する範囲をクライアント毎に設定し、その範囲内の情報を取得する構成を適用することが考えられる。しかしながら、情報を検索する範囲を指定するためには、ユーザがデータベースを構成する情報の全体を常に把握しておく必要性があるため、このような手法によるカスタマイズは困難である。
【発明の開示】
【００１０】
本発明は、上記課題に鑑みてなされたものであり、他のユーザによって追加された情報を参照することができ、且つユーザ自身がデータベースから参照する情報の範囲をカスタマイズすることができる技術を提供することを目的とする。
【００１１】
上記の課題を解決するために、第１の態様に係るデータベースシステムは、複数の要素が蓄積された要素蓄積情報を記憶する第１の記憶手段と、少なくとも１以上の要素に係る情報の入力に応答して、前記要素蓄積情報に追加情報を追記する追記手段と、第１の識別情報の入力、および前記追記手段による前記追加情報の追記に応答して、前記第１の識別情報とは異なる第２の識別情報に対して、前記追加情報の可視的な出力に係る情報をそれぞれ関連付けた出力設定情報を記憶する第２の記憶手段と、を備える。また、前記データベースシステムは、前記第２の識別情報の入力、およびユーザによる所定の動作に応じて、前記出力設定情報において前記第２の識別情報に対して関連付けられた前記可視的な出力に係る情報を変更する変更手段と、ユーザによる抽出条件の入力に応じて、前記要素蓄積情報に含まれる少なくとも一部の情報を、前記要素蓄積情報から抽出する抽出手段と、を備える。更に、前記データベースシステムは、前記第２の識別情報が入力された場合に、前記出力設定情報において前記第２の識別情報に対して関連付けられている前記可視的な出力に係る情報に従って、前記抽出手段によって抽出された前記一部の情報を可視的に出力する表示手段を備える。ここで、前記要素蓄積情報が、要素の組合せをそれぞれ示す複数の組合せ情報が蓄積されて構成されている。また、前記追加情報が、１以上の追加要素を含んでいる。そして、前記表示手段が、前記変更手段によって前記追加要素の可視的な出力に係る情報が変更される際に、前記組合せ情報において前記追加要素に対して組み合わされた前記追加要素とは異なる１以上の要素について、可視的な出力に係る情報の変更を要求する表示要素を可視的に出力するようにされている。
【００１２】
これにより、他のユーザが追加した情報の可視的な出力に係る情報を変更することができるため、他のユーザによる追加情報を押し付けられることなく、他のユーザによる追加情報を参照したいときに、可視的な出力に係る情報を変更することで、他のユーザによる追加情報を容易に参照して利用することができる。すなわち、他のユーザによって追加された情報を参照することができ、且つユーザ自身がデータベースから参照する情報の範囲をカスタマイズすることができる。また、１つの知識を構成する複数の要素について、見落としなく、可視的な出力の条件の変更が可能となる。
【００１３】
また、第２の態様に係るデータベースシステムは、サーバと、第１端末と、第２端末とを備える。ここで、前記サーバが、複数の要素が蓄積された要素蓄積情報を記憶する第１の記憶手段と、前記第１端末からの少なくとも１以上の要素に係る情報の入力に応答して、前記要素蓄積情報に追加情報を追記する追記手段と、前記追記手段による前記追加情報の追記に応答して、前記第２端末を特定する情報に対して、前記追加情報の可視的な出力に係る情報を関連付けた出力設定情報を記憶する第２の記憶手段と、を有する。更に、前記サーバが、前記第２端末からの要求に応答して、前記出力設定情報において前記第２端末を特定する情報に対して関連付けられている前記可視的な出力に係る情報を変更する変更手段と、前記第２端末からの抽出条件の入力に応じて、前記要素蓄積情報に含まれる少なくとも一部の情報を、前記要素蓄積情報から抽出する抽出手段とを有する。また、前記第２端末が、前記抽出手段によって抽出された前記一部の情報を可視的に出力する画面を表示する表示手段を有する。そして、前記画面が、前記出力設定情報において前記第２端末を特定する情報に対して関連付けられている前記可視的な出力に係る情報に従った前記一部の情報に係る画面とされている。ここで、前記要素蓄積情報が、要素の組合せをそれぞれ示す複数の組合せ情報が蓄積されて構成されている。また、前記追加情報が、１以上の追加要素を含んでいる。そして、前記表示手段が、前記変更手段によって前記追加要素の可視的な出力に係る情報が変更される際に、前記組合せ情報において前記追加要素に対して組み合わされた前記追加要素とは異なる１以上の要素について、可視的な出力に係る情報の変更を要求する表示要素を可視的に出力するようにされている。
【００１４】
これにより、他のユーザが追加した情報の可視的な出力に係る情報を変更することができるため、他のユーザによる追加情報を押し付けられることなく、他のユーザによる追加情報を参照したいときに、可視的な出力に係る情報を変更することで、他のユーザによる追加情報を容易に参照して利用することができる。すなわち、他のユーザによって追加された情報を参照することができ、且つユーザ自身がデータベースから参照する情報の範囲をカスタマイズすることができる。また、１つの知識を構成する複数の要素について、見落としなく、可視的な出力の条件の変更が可能となる。
【００１５】
また、第３の態様に係るデータベースシステムは、サーバと、第１端末と、第２端末とを備える。ここで、前記サーバが、複数の要素が蓄積された要素蓄積情報を記憶する第１の記憶手段と、前記第１端末からの少なくとも１以上の要素に係る情報の入力に応答して、前記要素蓄積情報に追加情報を追記する追記手段と、前記第２端末からの抽出条件の入力に応じて、前記要素蓄積情報に含まれる少なくとも一部の情報を、前記要素蓄積情報から抽出する抽出手段とを有する。また、前記第２端末が、前記追記手段による前記追加情報の追記に応答して、前記追加情報の可視的な出力に係る情報を含む出力設定情報を記憶する第２の記憶手段と、ユーザによる情報の入力に応答して、前記出力設定情報に含まれた前記可視的な出力に係る情報を変更する変更手段と、前記抽出手段によって抽出された前記一部の情報を可視的に出力する画面を表示する表示手段とを有する。そして、前記画面が、前記出力設定情報に含まれた前記可視的な出力に係る情報に従った前記一部の情報に係る画面とされている。ここで、前記要素蓄積情報が、要素の組合せをそれぞれ示す複数の組合せ情報が蓄積されて構成されている。また、前記追加情報が、１以上の追加要素を含んでいる。そして、前記表示手段が、前記変更手段によって前記追加要素の可視的な出力に係る情報が変更される際に、前記組合せ情報において前記追加要素に対して組み合わされた前記追加要素とは異なる１以上の要素について、可視的な出力に係る情報の変更を要求する表示要素を可視的に出力するようにされている。
【００１６】
これにより、他のユーザが追加した情報の可視的な出力に係る情報を変更することができるため、他のユーザによる追加情報を押し付けられることなく、他のユーザによる追加情報を参照したいときに、可視的な出力に係る情報を変更することで、他のユーザによる追加情報を容易に参照して利用することができる。すなわち、他のユーザによって追加された情報を参照することができ、且つユーザ自身がデータベースから参照する情報の範囲をカスタマイズすることができる。また、１つの知識を構成する複数の要素について、見落としなく、可視的な出力の条件の変更が可能となる。
【００１７】
また、第４の態様に係るデータベースシステムは、第１から第３のいずれかの態様に係るデータベースシステムであって、前記表示手段が、前記変更手段によって前記追加要素の可視的な出力に係る情報が変更される際に、前記組合せ情報において前記追加要素に対して組み合わされた前記追加要素とは異なる１以上の要素について、可視的な出力に係る情報の変更が指定されなかった場合に、所定の警告を示す表示要素を、可視的に出力するようにされている。
【００１８】
これにより、１つの知識を構成する複数の要素について、見落としなく、可視的な出力の条件の変更が可能となる。
【００１９】
また、第５の態様に係るデータベースシステムは、複数の要素が蓄積された要素蓄積情報を記憶する第１の記憶手段と、少なくとも１以上の要素に係る情報の入力に応答して、前記要素蓄積情報に追加情報を追記する追記手段と、第１の識別情報の入力、および前記追記手段による前記追加情報の追記に応答して、前記第１の識別情報とは異なる第２の識別情報に対して、前記追加情報の可視的な出力に係る情報をそれぞれ関連付けた出力設定情報を記憶する第２の記憶手段とを備える。また、前記データベースシステムは、前記第２の識別情報の入力、およびユーザによる所定の動作に応じて、前記出力設定情報において前記第２の識別情報に対して関連付けられた前記可視的な出力に係る情報を変更する変更手段と、ユーザによる抽出条件の入力に応じて、前記要素蓄積情報に含まれる少なくとも一部の情報を、前記要素蓄積情報から抽出する抽出手段とを備える。さらに、前記データベースシステムは、前記第２の識別情報が入力された場合に、前記出力設定情報において前記第２の識別情報に対して関連付けられている前記可視的な出力に係る情報に従って、前記抽出手段によって抽出された前記一部の情報を可視的に出力する表示手段とを備える。ここで、前記要素蓄積情報が、要素の組合せをそれぞれ示す複数の組合せ情報が蓄積されて構成されている。また、前記追加情報が、１以上の追加要素を含んでいる。そして、前記変更手段が、前記追加要素の可視的な出力に係る情報を変更する際に、前記組合せ情報において前記追加要素に対して組み合わされた前記追加要素とは異なる１以上の要素について、可視的な出力に係る情報を変更するようにされている。
【００２０】
これにより、他のユーザが追加した情報の可視的な出力に係る情報を変更することができるため、他のユーザによる追加情報を押し付けられることなく、他のユーザによる追加情報を参照したいときに、可視的な出力に係る情報を変更することで、他のユーザによる追加情報を容易に参照して利用することができる。すなわち、他のユーザによって追加された情報を参照することができ、且つユーザ自身がデータベースから参照する情報の範囲をカスタマイズすることができる。また、１つの知識を構成する複数の要素について、見落としなく、可視的な出力の条件の変更が可能となる。
【００２１】
また、第６の態様に係るデータベースシステムは、サーバと、第１端末と、第２端末とを備える。ここで、前記サーバが、複数の要素が蓄積された要素蓄積情報を記憶する第１の記憶手段と、前記第１端末からの少なくとも１以上の要素に係る情報の入力に応答して、前記要素蓄積情報に追加情報を追記する追記手段と、前記追記手段による前記追加情報の追記に応答して、前記第２端末を特定する情報に対して、前記追加情報の可視的な出力に係る情報を関連付けた出力設定情報を記憶する第２の記憶手段と、を有する。更に、前記サーバが、前記第２端末からの要求に応答して、前記出力設定情報において前記第２端末を特定する情報に対して関連付けられている前記可視的な出力に係る情報を変更する変更手段と、前記第２端末からの抽出条件の入力に応じて、前記要素蓄積情報に含まれる少なくとも一部の情報を、前記要素蓄積情報から抽出する抽出手段とを有する。また、前記第２端末が、前記抽出手段によって抽出された前記一部の情報を可視的に出力する画面を表示する表示手段を有する。そして、前記画面が、前記出力設定情報において前記第２端末を特定する情報に対して関連付けられている前記可視的な出力に係る情報に従った前記一部の情報に係る画面とされている。ここで、前記要素蓄積情報が、要素の組合せをそれぞれ示す複数の組合せ情報が蓄積されて構成されている。また、前記追加情報が、１以上の追加要素を含んでいる。そして、前記変更手段が、前記追加要素の可視的な出力に係る情報を変更する際に、前記組合せ情報において前記追加要素に対して組み合わされた前記追加要素とは異なる１以上の要素について、可視的な出力に係る情報を変更するようにされている。
【００２２】
これにより、他のユーザが追加した情報の可視的な出力に係る情報を変更することができるため、他のユーザによる追加情報を押し付けられることなく、他のユーザによる追加情報を参照したいときに、可視的な出力に係る情報を変更することで、他のユーザによる追加情報を容易に参照して利用することができる。すなわち、他のユーザによって追加された情報を参照することができ、且つユーザ自身がデータベースから参照する情報の範囲をカスタマイズすることができる。また、１つの知識を構成する複数の要素について、見落としなく、可視的な出力の条件の変更が可能となる。
【００２３】
また、第７の態様に係るデータベースシステムは、サーバと、第１端末と、第２端末とを備える。ここで、前記サーバが、複数の要素が蓄積された要素蓄積情報を記憶する第１の記憶手段と、前記第１端末からの少なくとも１以上の要素に係る情報の入力に応答して、前記要素蓄積情報に追加情報を追記する追記手段と、前記第２端末からの抽出条件の入力に応じて、前記要素蓄積情報に含まれる少なくとも一部の情報を、前記要素蓄積情報から抽出する抽出手段とを有する。また、前記第２端末が、前記追記手段による前記追加情報の追記に応答して、前記追加情報の可視的な出力に係る情報を含む出力設定情報を記憶する第２の記憶手段と、ユーザによる情報の入力に応答して、前記出力設定情報に含まれた前記可視的な出力に係る情報を変更する変更手段と、前記抽出手段によって抽出された前記一部の情報を可視的に出力する画面を表示する表示手段とを有する。そして、前記画面が、前記出力設定情報に含まれた前記可視的な出力に係る情報に従った前記一部の情報に係る画面とされている。ここで、前記要素蓄積情報が、要素の組合せをそれぞれ示す複数の組合せ情報が蓄積されて構成されている。また、前記追加情報が、１以上の追加要素を含んでいる。そして、前記変更手段が、前記追加要素の可視的な出力に係る情報を変更する際に、前記組合せ情報において前記追加要素に対して組み合わされた前記追加要素とは異なる１以上の要素について、可視的な出力に係る情報を変更するようにされている。
【００２４】
これにより、他のユーザが追加した情報の可視的な出力に係る情報を変更することができるため、他のユーザによる追加情報を押し付けられることなく、他のユーザによる追加情報を参照したいときに、可視的な出力に係る情報を変更することで、他のユーザによる追加情報を容易に参照して利用することができる。すなわち、他のユーザによって追加された情報を参照することができ、且つユーザ自身がデータベースから参照する情報の範囲をカスタマイズすることができる。また、１つの知識を構成する複数の要素について、見落としなく、可視的な出力の条件の変更が可能となる。
【００４３】
また、第８の態様に係るデータベースシステムは、第１から第７のいずれかの態様に係るデータベースシステムであって、前記追加情報が、１以上の要素を含むようにされている。
【００４４】
これにより、要素ごとに可視的な出力に係る情報が設定されるため、細かい可視的な出力の条件を設定することが可能となる。
【００５３】
また、第９の態様に係るデータベースシステムは、第１から第８のいずれかの態様に係るデータベースシステムであって、前記表示手段が、前記追記手段による前記追加情報の追記に応じて、前記追加情報が追記された旨を示す表示要素を可視的に出力するようにされている。
【００５４】
これにより、追加情報が追記されたことに気が付かずに、他のユーザによる追加情報を参照しないままとなってしまう不具合を回避することができる。
【００５５】
また、第１０の態様に係るデータベースシステムは、第１から第９のいずれかの態様に係るデータベースシステムであって、前記表示手段が、ユーザによる所定の動作に応答して、前記出力設定情報を可視的に出力するようにされている。
【００５６】
これにより、追加情報の可視的な出力に係る情報が可視的に出力されるため、可視的な出力に係る情報を変更するか否かの判断が容易となる。
【００５７】
また、第１１の態様に係るデータベースシステムは、第１から第１０の何れかに記載のデータベースシステムであって、前記第１の記憶手段に記憶される前記要素蓄積情報を、他の複数の要素が蓄積された要素蓄積情報に一括して更新する一括更新手段、を更に備え、前記一括更新手段によって前記要素蓄積情報が一括して更新される際に、前記第２の記憶手段が、前記出力設定情報を維持するようにされている。
【００５８】
これにより、要素蓄積情報の一括更新が行われても、その一括更新までにカスタマイズされた設定内容を有効利用することが可能となる。
【００５９】
また、第１２の態様に係るプログラムは、データベースシステムに含まれるコンピュータによって実行されることにより、前記データベースシステムを、第１から第１１のいずれかの態様に係るデータベースシステムとして機能させるプログラムとされている。
【００６０】
これにより、第１から第１１のいずれかの態様に係るデータベースシステムと同様な効果を得ることができる。
【図面の簡単な説明】
【００６１】
【図１】図１は、本発明の実施形態に係るデータベースシステムの概略構成を示す図である。
【図２】図２は、入力支援サーバの主な機能構成を示すブロック図である。
【図３】図３は、ユーザ管理ＤＢのデータ内容を例示する図である。
【図４】図４は、関連情報ＤＢと組合せ情報ＤＢを生成するための機能構成を示す図である。
【図５】図５は、単レポート構造化データのデータ構成例を示す模式図である。
【図６】図６は、組合せ情報ＤＢのデータ内容を例示する図である。
【図７】図７は、入力支援動作に係る機能構成を示す図である。
【図８】図８は、出力設定情報ＤＢのデータ内容を例示する図である。
【図９】図９は、ログイン画面を例示する図である。
【図１０】図１０は、検査一覧画面を例示する図である。
【図１１】図１１は、読影レポート入力画面を例示する図である。
【図１２】図１２は、依頼事項の内容を例示する図である。
【図１３】図１３は、検査の詳細な内容を例示する図である。
【図１４】図１４は、頻出句の一覧を示す図である。
【図１５】図１５は、定型文の一覧を示す図である。
【図１６】図１６は、検索条件決定テンプレートを例示する図である。
【図１７】図１７は、入力支援テンプレートを例示する図である。
【図１８】図１８は、出力設定情報ＤＢのデータ内容を例示する図である。
【図１９】図１９は、入力支援テンプレートを例示する図である。
【図２０】図２０は、入力支援テンプレートを例示する図である。
【図２１】図２１は、入力支援テンプレートを例示する図である。
【図２２】図２２は、入力支援テンプレートを例示する図である。
【図２３】図２３は、関連要素設定入力画面を例示する図である。
【図２４】図２４は、警告画面を例示する図である。
【図２５】図２５は、出力設定情報ＤＢのデータ内容を例示する図である。
【図２６】図２６は、入力支援テンプレートを例示する図である。
【図２７】図２７は、関連要素設定入力画面を例示する図である。
【図２８】図２８は、警告画面を例示する図である。
【図２９】図２９は、出力設定情報ＤＢのデータ内容を例示する図である。
【図３０】図３０は、用語作成テンプレートを例示する図である。
【図３１】図３１は、入力支援テンプレートを例示する図である。
【図３２】図３２は、出力設定情報ＤＢのデータ内容を例示する図である。
【図３３】図３３は、入力支援テンプレートを例示する図である。
【図３４】図３４は、入力支援テンプレートを例示する図である。
【図３５】図３５は、出力情報リストを例示する図である。
【図３６】図３６は、入力支援動作の動作フローを示すフローチャートである。
【図３７】図３７は、入力支援動作の動作フローを示すフローチャートである。
【図３８】図３８は、入力支援動作の動作フローを示すフローチャートである。
【図３９】図３９は、入力支援動作の動作フローを示すフローチャートである。
【図４０】図４０は、入力支援動作の動作フローを示すフローチャートである。
【図４１】図４１は、入力支援動作の動作フローを示すフローチャートである。
【図４２】図４２は、入力支援動作の動作フローを示すフローチャートである。
【図４３】図４３は、変形例に係る出力設定情報ＤＢのデータ内容を例示する図である。
【図４４】図４４は、変形例に係る入力支援サーバの主な機能構成を示すブロック図である。
【発明を実施するための最良の形態】
【００６２】
以下、本発明の実施形態を図面に基づいて説明する。【００６３】
＜情報処理システムの概要＞
図１は、本発明の実施形態に係る情報処理システム１の概略構成を示す図である。【００６４】
情報処理システム１は、例えば、病院内で診療情報を管理・処理するためのシステムであり、ＬＡＮ（Local Area Network）等のネットワーク回線ＬＮに、入力支援サーバ１００、ＰＡＣＳ（医用画像管理システム：Picture Archiving and Communication System）サーバ２００、レポート作成用端末（以下適宜「端末」と略称する）３００〜６００が相互にデータ送受信可能に接続されて構成される。【００６５】
また、端末３００に対して、ディスプレイ３０１，３０２がデータ送受信可能に接続され、端末４００に対して、ディスプレイ４０１，４０２がデータ送受信可能に接続され、端末５００に対して、ディスプレイ５０１，５０２がデータ送受信可能に接続され、端末６００に対して、ディスプレイ６０１，６０２がデータ送受信可能に接続されている。【００６６】
ＰＡＣＳサーバ２００は、ＣＴ(computed tomography)やＭＲ(Magnetic Resonance)を利用した医療機器により取得された画像データ、およびレポート（例えば、読影レポート）を示す情報（例えば、読影レポート情報）等の各種診療情報を蓄積したデータベース（診療情報ＤＢ）２１０を備える。ここでは、診療情報ＤＢ２１０に格納される画像データの形式が、いわゆるＤＩＣＯＭ(Digital Imaging and Communications in Medicine)形式であるものとする。つまり、画像データは、患者と画像データに関する情報とが格納されたヘッダとともにファイル（ＤＩＣＯＭファイル）を形成して、格納される。なお、画像データのファイル形式としては、ＤＩＣＯＭ形式に限られず、その他の形式が採用されても良い。【００６７】
また、診療情報ＤＢ２１０には、多数の患者についての検査の一覧を示すリスト（検査リスト）の情報（検査リスト情報）が格納される。検査リスト情報には、例えば、検査毎にＤＩＣＯＭ属性が付与されており、その中には、例えば、各検査に係る患者の属性（患者ＩＤ、患者氏名、生年月日、年齢、性別）、読影レポートを作成したか否かを示す状態、検査を特定するＩＤ（検査ＩＤ）、検査日、検査対象にあたる部位（検査部位）、撮影機器を示すモダリティ、および撮影枚数をそれぞれ示す情報が含まれる。また、診療情報ＤＢ２１０には、担当医からのオーダーリング（依頼事項）や検査の詳細（患者や検査に係る情報）を示す属性情報が検査ＩＤと関連付けられて格納される。【００６８】
入力支援サーバ１００は、診療情報ＤＢ２１０に蓄積されたレポート情報を解析することで、新規なレポートの作成を支援するための情報を蓄積したデータベース（後述する関連情報ＤＢ１２２，組合せ情報ＤＢ１２３）を構築し、端末３００〜６００におけるレポートの作成を支援する。【００６９】
端末３００〜６００は、それぞれ一般的なパーソナルコンピュータ（パソコン）などによって構成される。各端末３００〜６００は同様な機能および構成を有するため、以下では、端末３００の機能および構成を例に挙げて説明する。端末３００では、診療情報ＤＢ２１０に蓄積された画像データをディスプレイ３０１，３０２において可視的に出力させ、閲覧可能とする。そして、ユーザ（例えば、読影医）は、ディスプレイ３０１，３０２で可視的に出力された画像データを閲覧しつつ、端末３００で新規な読影レポートを作成する。【００７０】
また、端末３００では、関連情報ＤＢ１２２などに格納されている各種情報を適宜参照することが可能であり、読影医による読影レポートの作成が支援される。なお、端末３００〜６００では、それぞれ専用のプログラムが実行されることで各種機能や動作が実現される。【００７１】
このように、情報処理システム１は、関連情報ＤＢ１２２などに蓄積された情報の取得および提示を行うシステム（データベースシステム）として機能するとともに、レポートを入力するシステム（レポーティングシステム）として機能する。そして、情報処理システム１では、検索した情報を提示する動作（情報提示動作）に特別な工夫が加えられ、ユーザ自身による設定に従って、提示される情報が限定される。つまり、ユーザ自身がデータベースから参照する情報の範囲をカスタマイズすることができる。情報提示動作については後述する。【００７２】
＜情報処理システムの機能＞
図２は、入力支援サーバ１００の主な機能構成を示すブロック図である。【００７３】
入力支援サーバ１００は、主にサーバ制御部１１０と記憶部１２０とを備える。【００７４】
サーバ制御部１１０は、ＣＰＵ、ＲＡＭ、およびＲＯＭなどを備えて構成され、入力支援サーバ１００の各種動作や機能などを統括制御するものである。サーバ制御部１１０は、記憶部１２０に格納されたプログラムＰＧ１を読み込んで実行することで実現されるユーザ認証部１１１、関連情報生成部１１２、組合せ情報生成部１１３、入力支援部１１４、および出力設定情報生成部１１５を機能として有する。【００７５】
記憶部１２０は、ハードディスクなどを備えて構成され、ユーザ管理データベース（ＤＢ）１２１、関連情報ＤＢデータベース（ＤＢ）１２２、組合せ情報データベース（ＤＢ）１２３、出力設定情報データベース（ＤＢ）１２４、および設定ファイルデータベース（ＤＢ）１２５を格納する。【００７６】
ユーザ管理ＤＢ１２１は、入力支援サーバ１００にアクセス可能なユーザを識別するための識別情報（例えば、ユーザＩＤ、パスワード）を格納している。【００７７】
図３は、ユーザ管理ＤＢ１２１のデータ内容を例示する図である。図３で示すように、ユーザ管理ＤＢ１２１には、入力支援サーバ１００に対してアクセスする権原を有する各ユーザ名に対して、ユーザＩＤとパスワードとが関連付けられたデータテーブルＴＢ１が格納されている。このデータテーブルＴＢ１は、入力支援サーバ１００の管理者などによって、予め生成される。【００７８】
ユーザ認証部１１１は、各端末３００〜６００を使用しているユーザを認識して、各端末３００〜６００から入力支援サーバ１００へのアクセスを許可するものである。例えば、ユーザ認証部１１１は、端末３００からのユーザの識別情報（例えば、ユーザＩＤやパスワード）の入力に応答して、ユーザ管理ＤＢ１２１を参照し、アクセス権原を有するユーザにはアクセスを許可し、アクセス権原を有しないユーザにはアクセスを許可しない。そして、入力支援サーバ１００では、ユーザ認証部１１１において、各端末３００〜６００からアクセスしているユーザを認識する。なお、アクセスの許否を示す情報は、ユーザ認証部１１１により、各端末３００〜６００に対して返信される。【００７９】
関連情報ＤＢ１２２は、関連情報生成部１１２によって、ＰＡＣＳサーバ２００に格納された診療情報ＤＢ２１０に基づいて生成される。組合せ情報ＤＢ１２３は、関連情報生成部１１２が生成される際に、組合せ情報生成部１１３によって生成される。【００８０】
図４は、関連情報ＤＢ１２２、および組合せ情報ＤＢ１２３を生成するための機能構成を示すブロック図である。【００８１】
関連情報生成部１１２は、データ読込部１１２ａ、検査済判定部１１２ｂ、およびデータ構築部１１２ｃなどといった機能構成を有する。【００８２】
データ読込部１１２ａは、診療情報ＤＢ２１０から、読影レポート情報と、その読影レポート情報に対応する属性情報（例えば、依頼事項、患者属性、および検査属性に係る情報）と、検査リスト情報とを読み込む。そして、データ読込部１１２ａは、読影レポート情報と属性情報と検査リスト情報とを検査済判定部１１２ｂに送出する。【００８３】
検査済判定部１１２ｂは、検査リスト情報を参照することで、各検査の読影レポートについて所見文などが書き込まれて読影レポートが作成されているか否かを判定する。そして、検査済判定部１１２ｂは、生成済み（すなわち検査済み）の読影レポート情報を属性情報とともにデータ構築部１１２ｃに送出する。【００８４】
データ構築部１１２ｃは、各読影レポート情報を対象として、読影レポートに含まれる自然文で記述された所見文から必要な要素を抽出するとともに、属性情報に含まれる各種要素も抽出し、ＲＤＦ（Resource Description Framework、例えば「http://www.w3c.org/RDF/」で公開）を利用して構造化を行う。そして、データ構築部１１２ｃは、複数の読影レポート情報について構造化した情報を記憶部１２０に蓄積することで、関連情報ＤＢ１２２を構築する。【００８５】
ここで、関連情報ＤＢ１２２の生成について、より詳細に説明する。【００８６】
まず、データ読込部１１２ａが、診療情報ＤＢ２１０から、読影レポート情報と、この読影レポート情報に対応する属性情報と、検査リスト情報とを読み込み、検査済判定部１１２ｂに送出する。【００８７】
次に、検査済判定部１１２ｂが、検査リスト情報を参照することで、各検査について読影レポートが作成されているか否かを判定し、生成済みの読影レポート情報を属性情報とともにデータ構築部１１２ｃに送出する。【００８８】
そして、データ構築部１１２ｃが、読影レポートに含まれる所見文から必要な要素を抽出するとともに、属性情報に含まれる各種要素も抽出し、ＲＤＦを利用して構造化を行う。この読影レポートの要素の構造化は、例えば機械学習を利用して実現される。【００８９】
ここで、データ構築部１１２ｃの機能、具体的には、機械学習の機能（機械学習機能）、要素を識別する機能（識別機能）、および識別した要素を関連付けることで読影レポートを構造化する機能（構造化機能）について説明する。【００９０】
データ構築部１１２ｃの機械学習機能により、教師データとして学習用コーパス等が与えられると、構造化の基準となる情報が学習される。【００９１】
学習用コーパスは、読影レポートに含まれる所見文の形式（文章モデル）に準じた大量のテキストデータを含む。この文章モデルは、例えば、撮影条件→部位→基本所見（特徴−結語）→診断（診断−結語）といった具合に、所見文の構成を示す。詳細には、学習用コーパスでは、所見文の文章モデルを構成する各要素の分類項目（以下適宜「項目」と略する）名が各語句に対してタグ付けされている。なお、データ構築部１１２ｃに対して学習用コーパスが外部から与えられる際に、結語がある程度特定された代表的な文章モデルを示すデータも外部から与えられる。【００９２】
そして、データ構築部１１２ｃの機械学習機能により、学習用コーパスから語句が抜き出され、対応する要素の項目毎にそれぞれ記憶される。ここで、学習されて記憶されるデータは、読影レポートを構成する各要素をどのように要素の項目に分解すべきかを示すモデルのデータ（モデルデータ）として使用される。【００９３】
次に、データ構築部１１２ｃの識別機能により、上記モデルデータが基準とされつつ、データ構築部１１２ｃに入力される読影レポート情報を対象として、要素の項目と実際に使用されている語句とが識別される。【００９４】
更に、データ構築部１１２ｃの構造化機能により、識別機能によって識別された情報に基づき、読影レポート情報、および属性情報に含まれる各種情報が、要素の項目毎に属する語句（要素）に分解された後にＲＤＦで記述され、所見文を構成する要素が構造化される。そして、読影レポートに係る属性情報、および患者に係る属性情報を構成する要素も加えられて、１つの読影レポートを構成する要素が構造化されてＲＤＦで記述されたデータ（以下「単レポート構造化データ」とも称する）が構築され、読影レポート情報が構造化される。【００９５】
図５は、単レポート構造化データのデータ構成例を示す模式図である。【００９６】
図５で示すように、単レポート構造化データは、要素（具体的には、属性値等）が記述された複数のノード（図中の楕円）Ｎ０〜Ｎ１０が、項目名（具体的には、属性）を示すアーク（図中の矢印）で繋がれて構成される。図５で示す単レポート構造化データは、検査ＩＤを示すノードＮ１を起点として、複数のノードＮ２〜Ｎ１０が複数のアークによって繋がれている。【００９７】
なお、図５では、図の複雑化の防止と記載の一般化のために、各ノードＮ１〜Ｎ１０内に記述される要素が「ＸＸＸＸ」と記述されている。また、各アークが示す属性すなわち項目名は、矢印の傍らに記載されている。ノードＮ２〜Ｎ１０に繋がれるアークがそれぞれ示す属性としては、属性情報部分（head）、内容部分（body）、モダリティ、ＤＩＣＯＭ部位（検査部位）、カテゴリ、撮影条件、部位、基本所見、および診断がある。ＤＩＣＯＭ部位とは、ＤＩＣＯＭ属性の検査部位である。【００９８】
なお、内容部分には、所見文を構成する要素の組合せ、すなわち知識そのものが含まれる。内容部分では、構造化すべき項目の単位で所見文を構成する要素が抽出されて、蓄積されている。また、どのような項目の単位で所見文を構成する要素を抽出するのかについては、属性情報によって異ならせる態様が考えられる。【００９９】
例えば、項目「ＤＩＣＯＭ部位」「モダリティ」「カテゴリ」に対して、それぞれ要素「ＳＫＵＬＬ」「ＭＲ」「血管障害」が属している条件では、所見文から抽出すべき要素の項目が「撮影条件」「部位」「基本所見」「診断」の４つとなり、項目「ＤＩＣＯＭ部位」「モダリティ」「カテゴリ」に対して、それぞれ要素「ＳＫＵＬＬ」「ＭＲ」「腫瘍」が属している条件では、所見文から抽出すべき要素の項目が「異常」「撮影方法」「異常の状態」「影響している部位」「影響」の５つとなる。【０１００】
上述したようなデータ構築部１１２ｃの機械学習機能、識別機能、および構造化機能により、図５で示したような単レポート構造化データが、診療情報ＤＢ２１０に格納された多数の検査済みの読影レポート情報についてそれぞれ生成される。そして、生成された多数の単レポート構造化データが記憶部１２０に蓄積されることで、関連情報ＤＢ１２２が構築される。【０１０１】
したがって、関連情報ＤＢ１２２では、複数の項目に含まれる各項目に少なくとも１以上の要素が属しており、且つその複数の項目に対してそれぞれ属する複数の要素の複数通りの組合せが各単レポート構造化データ（一般的には、組合せ情報）によって各々示される。そして、関連情報ＤＢ１２２は、複数の要素が蓄積された情報（以下「要素蓄積情報」とも称する）となる。【０１０２】
また、組合せ情報生成部１１３は、データ構築部１１２ｃにおいて単レポート構造化データが生成されるたびに、新規な単レポート構造化データで示される複数の要素の組合せを認識し、要素の組合せと、その組合せの数（回数）とを関連付けて記憶部１２０に記憶することで、組合せ情報ＤＢ１２３を生成する。【０１０３】
図６は、組合せ情報ＤＢ１２３のデータ内容を例示する図である。【０１０４】
図６で示すように、組合せ情報ＤＢ１２３には、各項目（例えば「撮影条件」「部位」「基本所見」「診断」・・・）にそれぞれ属する要素の組合せに対して、その組合せの回数が関連付けられたデータテーブルＴＢ２が格納される。つまり、組合せ情報ＤＢ１２３は、関連情報ＤＢ１２２における要素間の関連の強さを示している。なお、組合せ情報ＤＢ１２３で重複する要素の組合せの数が管理されるため、関連情報ＤＢ１２２では、同じ単レポート構造化データが複数記憶されないように設定されている。【０１０５】
なお、ユーザが操作部３３０（後述）を種々操作することで、新規な読影レポートが診療情報ＤＢ２１０に追加される度に、関連情報生成部１１２によって、新たな単レポート構造化データが生成され、関連情報ＤＢ１２２または組合せ情報ＤＢ１２３が充実化される。また、関連情報ＤＢ１２２を構成する要素については、ユーザによる操作部３３０からの情報入力に応答して、適宜充実化される。【０１０６】
図２に戻って説明を続ける。【０１０７】
入力支援部１１４は、端末３００〜６００のうちの何れかの端末（ここでは、端末３００とする）からの検索ルールの入力に応じて、関連情報ＤＢ１２２から一部の情報を抽出して、読影レポートの入力を支援する情報（入力支援情報）として端末３００に対して提供する動作（入力支援動作）を実現するものである。【０１０８】
図７は、入力支援動作に係る機能構成を示す図である。【０１０９】
入力支援部１１４は、データ読込部１１４ａ、設定認識部１１４ｂ、情報検索部１１４ｃ、およびデータ書込部１１４ｄなどといった機能構成を有する。【０１１０】
データ読込部１１４ａは、読影レポートを作成する対象となる検査（レポート入力対象検査）を特定する際には、診療情報ＤＢ２１０から検査リスト情報を読み出して端末３００に送出する。また、データ読込部１１４ａは、端末３００からレポート入力対象検査を特定する指示が入力されると、診療情報ＤＢ２１０から、レポート入力対象検査に係る読影レポート情報と属性情報と検査リスト情報と画像データとを読み出して、端末３００に対して送出する。【０１１１】
このとき、端末３００の制御により、データ送受信可能に接続されたディスプレイ３０１，３０２において、レポート入力対象検査に係る画像データが可視的に出力される。なお、ユーザである読影医は、ディスプレイ３０１，３０２で可視的に出力された画像データを参照しつつ、端末３００において読影レポートの作成に係る各種動作を行う。【０１１２】
設定認識部１１４ｂは、ユーザの動作（ここでは操作部３３０の操作）によって入力される検索ルールの検索形式を認識する。そして、設定認識部１１４ｂは、設定ファイルＤＢ１２５を参照することで、検索形式に対応する画面生成ルールを格納した設定ファイルを認識して採用する。【０１１３】
設定ファイルＤＢ１２５には、検索ルールの各形式（検索形式）に対し、画面生成ルールがそれぞれ関連付けられたファイル情報（設定ファイル）が記憶される。ここで、検索ルールは、関連情報ＤＢ１２２からの情報の取得を要求するルールであり、検索形式は、どの情報を検索対象として、どのような事項について情報を取得するのかといったことを示す。【０１１４】
なお、検索ルールは、ある情報から一部の情報を推論して取得するものであれば良く、例えば、関連情報ＤＢ１２２にてＲＤＦを用いて情報を蓄積し、検索ルールに公知のセマンティック・ウェブアプリケーションを構築するためのフレームワークである公知の「Jena」（例えば「http://jena.sourceforge.net/」で公開）でサポートされている推論を適用すれば良い。また、画面生成ルールは、取得された一部の情報を可視的に提示する画面（結果表示画面）を生成するルールであり、例えば、提示対象となる項目の数、種類、提示する項目の順番、表示要素の配置等を規定するものである。【０１１５】
また、設定認識部１１４ｂは、出力設定情報ＤＢ１２４を参照することで、ユーザごとに設定され、カスタマイズされた出力の設定を認識する。【０１１６】
図８は、出力設定情報ＤＢ１２４のデータ内容を例示する図である。【０１１７】
出力設定情報ＤＢ１２４は、各ユーザに対して、関連情報ＤＢ１２２を構成する各要素の出力に係る情報（出力情報）を関連付けた情報（以下「出力設定情報」）が蓄積された情報である。出力情報には、可視的な出力（すなわち表示）を許可する情報（ここでは、visible）、および可視的な出力（すなわち表示）を禁止する情報（ここでは、invisible）が含まれる。この出力情報により、要素ごとに可視的な出力の許否が設定されるため、細かい出力の設定が可能となる。【０１１８】
図８では、出力設定情報ＤＢ１２４に、各要素（例えば、無気肺、慢性気管支炎、弁膜症、分画症、部分無気肺）について、ユーザを特定する識別情報にあたるユーザ名（例えば、ユーザＡ〜Ｃ）に対し、visibleまたはinvisibleがそれぞれ関連付けられたデータテーブルＴＢ３が格納されている状態が示されている。【０１１９】
設定認識部１１４ｂは、出力設定情報ＤＢ１２４を参照することで、ユーザ認証部１１１で特定したアクセス中のユーザについて、各要素に係る出力情報を適宜認識し、画面生成ルールを若干修正する。【０１２０】
情報検索部１１４ｃは、検索ルールに従って関連情報ＤＢ１２２から一部の情報を取得する。【０１２１】
そして、情報検索部１１４ｃは、取得した一部の情報と採用された画面生成ルールとに基づき、複数要素の項目にそれぞれ属する各要素が各項目間で相互に関連付けられた情報（ネットワーク情報）を生成し、検索結果を表示する画面（結果表示画面）を示す表示用のデータ（結果表示画面データ）を生成する。この結果表示画面データは、端末３００に対して出力され、端末３００では、結果表示画面データに基づく結果表示画面が表示部３４０で表示される。なお、以下では、結果表示画面データを含む画面を表示するためのデータを「表示用情報」と適宜総称する。【０１２２】
このようにして、端末３００からの検索ルールの入力に応じて、情報の取得、結果表示画面データの生成、及び結果表示画面の表示が行われる一連の動作（情報検索動作）が実行される。なお、情報検索動作には、出力設定情報ＤＢ１２４に従った、ユーザごとにカスタマイズされた情報の提示を行う動作（情報提示動作）が含まれる。【０１２３】
データ書込部１１４ｄは、端末３００のレポート構成部３１４で生成された読影レポート情報を診療情報ＤＢ２１０に追加する。【０１２４】
また、端末３００は、主に端末制御部３１０、記憶部３２０、操作部３３０、および表示部３４０を備える。【０１２５】
端末制御部３１０は、ＣＰＵ、ＲＡＭ、およびＲＯＭなどを備えて構成され、端末３００の各種動作や機能などを統括制御するものである。端末制御部３１０は、記憶部３２０に格納されたプログラムＰＧ２を読み込んで実行することで実現される入出力部３１１、表示制御部３１２、タスク管理部３１３、およびレポート構成部３１４を機能として有する。【０１２６】
入出力部３１１は、端末３００の外部装置（ここでは、入力支援サーバ１００やディスプレイ３０１，３０２など）との間で、データを送受信するためのものである。【０１２７】
表示制御部３１２は、入力支援サーバ１００から入力される各種情報等に基づき、表示部３４０で各種画面を可視的に表示させる。例えば、情報検索部１１４ｃから入力される結果表示画面データに基づき、結果表示画面を表示部３４０において表示させる。【０１２８】
タスク管理部３１３は、新規な読影レポートの入力対象となる検査（レポート入力対象検査）が選択されると、レポート入力対象検査に対応する新規な読影レポートの作成に係るタスクを特定する。【０１２９】
レポート構成部３１４は、ユーザによる操作部３３０を介した情報入力に応じて、要素が構造化されたデータ（構造化データ）の形式で新規なレポート情報（構造化レポート情報）を受け付けて、その構造化レポート情報に基づき、所定のルールに沿った新規な読影レポート情報を生成する。【０１３０】
操作部３３０は、キーボードやマウス等を備え、ユーザによって適宜操作されることで、各種信号を端末制御部３１０に対して出力する。【０１３１】
表示部３４０は、液晶ディスプレイ等の各種ディスプレイによって構成され、例えば、情報検索部１１４ｃから受け付けた結果表示画面データを表示制御部３１２の制御に応じて可視的に出力する。【０１３２】
記憶部３２０は、ハードディスクなどを備えて構成され、端末３００における各種動作や機能などを実現するためのプログラムＰＧ２や各種データを格納する。【０１３３】
なお、各種情報処理において一時的に生成される各種データは、サーバ制御部１１０、および端末制御部３１０にそれぞれ内蔵されるＲＡＭ等に適宜一時的に記憶される。【０１３４】
更に、図２に戻って説明を続ける。【０１３５】
出力設定情報生成部１１５は、出力設定情報ＤＢ１２４を生成するものである。例えば、入力支援サーバ１００の管理者が、適宜情報を入力することで出力設定情報ＤＢ１２４を生成する。また、ユーザが操作部３３０を種々操作することで関連情報ＤＢ１２２に新規な要素が入力されると、出力設定情報生成部１１５は、出力設定情報ＤＢ１２４に新規な要素に係る出力情報を追加する。更に、ユーザによる操作部３３０からの情報入力に応答して、出力設定情報生成部１１５は、出力設定情報ＤＢ１２４を適宜変更する。【０１３６】
＜入力支援動作＞
以下、入力支援動作について更に具体的に説明する。【０１３７】
○ログイン：
端末３００から入力支援サーバ１００に対してアクセスする際、つまり、情報処理システム１を利用する際には、まず、端末３００では、システムへのログインを行う画面（ログイン画面）が表示部３４０に提示される。【０１３８】
図９は、ログイン画面Ｔｐ１を例示する図である。【０１３９】
ログイン画面Ｔｐ１には、ユーザＩＤを入力するための欄Ｂａ、パスワードを入力するための欄Ｂｂ、ＯＫボタンＢｏ、およびキャンセルボタンＢｃが設けられている。このログイン画面Ｔｐ１が表示された状態で、ユーザにより操作部３３０が種々操作されることで、欄Ｂａ，ＢｂにユーザＩＤおよびパスワードが記入され、ＯＫボタンＢｏがマウスポインタＭＰで押下されると、ユーザに係る識別情報が入力される。【０１４０】
ログイン画面Ｔｐ１で入力された識別情報は、入力支援サーバ１００に送信され、ユーザ認証部１１１により、入力された識別情報がユーザ管理ＤＢ１２１に存在していれば、入力支援サーバ１００へのアクセスが許可されて、ログインが行われる。なお、ログイン中は、ログインを行う際に入力された識別情報に対応するユーザが、端末３００のユーザであるものとして認識される。そして、サーバ制御部１１０では、例えば、端末３００から入力支援サーバ１００へ各種情報が送信される際に、該各種情報に識別情報が付されることで、端末３００から入力支援サーバ１００へ送信された情報が、所定のユーザが入力した情報であるものと認識される。なお、入力された識別情報がユーザ管理ＤＢ１２１に存在していなければ、ログインが行われない。【０１４１】
ログインが行われると、データ読込部１１４ａにより、診療情報ＤＢ２１０から検査リスト情報が読み込まれ、端末３００の端末制御部３１０に転送される。そして、表示制御部３１２の機能により、検査リスト情報に基づき、表示部３４０に検査一覧画面が表示される。【０１４２】
○レポート入力対象検査の特定：
図１０は、検査一覧画面Ｇ１を例示する図である。図１０で示すように、検査一覧画面Ｇ１は、検査に係る情報（具体的には、患者ＩＤ、患者氏名、生年月日、年齢、性別、状態、検査ＩＤ、検査日、検査部位、モダリティ、画像枚数）が一覧表示された画面である。ユーザは、検査一覧画面Ｇ１を閲覧することで、状態「未読影」が付された検査が、読影レポートが作成されていない検査であることが分かる。【０１４３】
検査一覧画面Ｇ１では、１つの検査を囲む太枠カーソルＣＳ１が表示される。この太枠カーソルＣＳ１は、ユーザによる操作部３３０の操作に応答して上下に移動され、所望の検査に合わされた状態で、操作部３３０の決定ボタン（例えば、リターンキー）が押下されると、太枠カーソルＣＳ１で囲まれた１つの検査がレポート入力対象検査として特定される。レポート入力対象検査が特定されると、表示部３４０で表示される画面が検査一覧画面Ｇ１から読影レポート入力画面Ｇ２（後述）に遷移する。【０１４４】
このとき、検査一覧画面Ｇ１でレポート入力対象検査が選択されると、項目「検査部位」に属する要素（例えば、ＳＫＵＬＬ）と項目「モダリティ」に属する要素（例えば、ＭＲ）との組合せも同時に指定され認識される。【０１４５】
また、レポート入力対象検査が特定されると、タスク管理部３１３により、レポート入力対象検査に対応する新規な読影レポートの作成に係るタスクが特定される。このとき、タスク管理部３１３の制御下で、診療情報ＤＢ２１０からレポート入力対象検査に対応する依頼事項、および検査の詳細を示す属性情報がデータ読込部１１４ａによって読み込まれ、端末制御部３１０に提供される。【０１４６】
○読影レポート入力画面の構成：
図１１は、端末３００において表示される読影レポート入力画面Ｇ２を例示する図である。読影レポート入力画面Ｇ２は、主に領域Ａ１〜Ａ１０によって構成される。【０１４７】
領域Ａ１は、レポート入力対象検査に係る依頼事項の内容が表示される領域であり、例えば、入力支援サーバ１００を介して診療情報ＤＢ２１０から取得した依頼事項に係る情報に基づき、図１２で示すような依頼事項の内容が表示される。【０１４８】
領域Ａ２は、レポート入力対象検査に係る検査の詳細な内容が表示される領域であり、例えば、入力支援サーバ１００を介して診療情報ＤＢ２１０から取得した検査の詳細に係る情報に基づき、図１３で示すような検査の詳細な内容が表示される。【０１４９】
領域Ａ３，Ａ４は、読影医による操作部３３０の操作に応じて、自由な意見やその他の情報が記述される領域である。但し、領域Ａ４には、例えば、パスワードの入力等によって閲覧が制限される秘匿性の高い個人情報が記述される。【０１５０】
領域Ａ５は、読影レポートの作成を支援するために、関連情報ＤＢ１２２から取得された一部の情報が可視的に提供される領域である。【０１５１】
領域Ａ６は、読影レポートを構成する所見文が表示される領域であり、読影医による操作部３３０の操作に応答して所見文が記入される。【０１５２】
領域Ａ７は、所見文で頻繁に使用される定型句（頻出句）の一覧が表示される領域であり、例えば、図１４で示すような頻出句の一覧が表示される。【０１５３】
領域Ａ８は、所見文で頻繁に使用される定型文（サマリ句）の一覧が表示される領域であり、例えば、図１５で示すような定型文の一覧が表示される。【０１５４】
領域Ａ９は、代表的な画像を添付する領域であり、読影医による操作部３３０の操作に応じて、所望の代表的な画像が添付される。【０１５５】
領域Ａ１０は、コマンドを入力するためのアイコン（ここでは、ボタンＢＴ１，ＢＴ２）が列挙される領域である。具体的には、ボタンＢＴ１は、読影レポート入力画面Ｇ２で作成した読影レポートを構成する所見文や添付画像の内容を確定して診療情報ＤＢ２１０に新規に登録し、次の読影レポートの作成に移行させるコマンドを入力するボタンである。ボタンＢＴ２は、読影レポート入力画面Ｇ２で作成した読影レポートを構成する所見文や添付画像の内容をクリアして、読影レポートの内容を作成し直すコマンドを入力するボタンである。【０１５６】
次に、領域Ａ５に表示されるテンプレートを利用して所見文を入力する動作について説明する。【０１５７】
領域Ａ５では、情報検索動作により、ユーザによって入力される検索ルールに対応する情報が関連情報ＤＢ１２２から取得され、適宜テンプレートの形態で可視的に出力される。そして、このテンプレートにおける要素（ここでは、用語や、用語を含むフレーズなど）の選択肢が適宜指定されることで、所見文の入力が実行される。【０１５８】
○情報検索動作：
検索ルールは、操作部３３０からの情報の入力に応じて決定され、情報検索部１１４ｃに入力される。情報検索部１１４ｃは、入力された検索ルールに基づき、関連情報ＤＢ１２２からデータを推論して一部の情報を取得する。この一部の情報の取得には、例えば、ＲＤＦや推論を用いるセマンティック・ウェブの技術を利用すれば良い。ここでは、一部の情報は、要素間の関連を示す情報（一部関連情報）であり、情報検索部１１４ｃにより、一部関連情報に基づき、検索ルールに対応する画面生成ルールに従って、結果表示画面データが生成される。この結果表示画面データは、端末３００に出力される。端末３００では、表示制御部３１２により、情報検索部１１４ｃからの結果表示画面データに基づき、表示部３４０において結果表示画面が表示される。ユーザは、結果表示画面において検索結果を認識することができる。【０１５９】
ここで、情報検索動作について、より具体的に説明する。【０１６０】
検査一覧画面Ｇ１でレポート入力対象検査が特定されると、読影レポート入力画面Ｇ２（例えば、図１１）では、例えば、領域Ａ１に依頼事項の内容（例えば、図１２）が、領域Ａ２にレポート入力対象検査に係る検査の詳細な内容（例えば、図１３）が表示される。そして、情報検索部１１４ｃの機能により、領域Ａ５に、検索条件決定テンプレート（以下、適宜「テンプレート」と略する）Ｔｐ２が提示される。【０１６１】
図１６は、テンプレートＴｐ２を例示する図である。テンプレートＴｐ２は、関連情報ＤＢ１２２から所望の一部関連情報を取得するための検索ルール（より詳細には、検索条件）を決定するためのテンプレートである。【０１６２】
テンプレートＴｐ２では、関連情報ＤＢ１２２における全属性項目のうちの一部の属性項目「カテゴリ」について、語句（選択肢）が列挙される。ここで列挙される属性項目「カテゴリ」に係る選択肢は、例えば、関連情報ＤＢ１２２のうち、検査特定動作でレポート入力対象検査の特定と同時に指定された項目「検査部位」に属する要素と項目「モダリティ」に属する要素との組合せと関連付けられた項目「カテゴリ」に属する要素となっている。【０１６３】
例えば、検査特定動作で、項目「検査部位」に属する要素「ＣＨＥＳＴ」と項目「モダリティ」に属する要素「ＭＲ」との組合せが指定された場合、テンプレートＴｐ２では、図１６で示すように、項目「カテゴリ」に属する複数の要素（例えば、血管障害、変性疾患、炎症・感染症、腫瘍、腫瘍の詳細など）が選択肢として列挙される。【０１６４】
なお、テンプレートＴｐ２で列挙される項目「カテゴリ」に係る選択肢の情報は、記憶部１２０などに予め記憶しておけば良く、例えば、項目「カテゴリ」に係る１以上の要素を２項目「検査部位」「モダリティ」にそれぞれ属する要素の組合せと対応させて記憶しておき、検査一覧画面Ｇ１で指定された２項目「検査部位」「モダリティ」にそれぞれ属する要素の組合せに応じた項目「カテゴリ」に属する選択肢の一覧がテンプレートＴｐ２に表示されるようにすれば良い。【０１６５】
読影医が操作部３３０を種々操作することで、テンプレートＴｐ２上で、マウスポインタＭＰが所望の選択肢に合わされて、所定の操作（例えば、ダブルクリック）が行われると、項目「カテゴリ」に対して所望の選択肢が指定される。このとき、検査一覧画面（例えば図１０）およびテンプレートＴｐ２（例えば図１６）で指定される複数の項目と要素との組合せが検索条件として決定される。【０１６６】
例えば、図１６で示すテンプレートＴｐ２で、項目「カテゴリ」に対して選択肢「血管障害」が指定された場合、項目「検査部位」に対して要素「ＣＨＥＳＴ」、項目「モダリティ」に対して要素「ＣＲ」、項目「カテゴリ」に対して要素「血管障害」が指定された検索条件が決定される。なお、ここでは、検索条件が、複数の項目と要素との組合せを示すものであったが、これに限られず、例えば、１以上の項目と１以上の要素との組合せを示すものであれば良い。【０１６７】
このとき、例えば、関連情報ＤＢ１２２から検索条件に合致する一部の情報を取得して、所定の項目に属する要素とその関連を示す情報とを抽出して所定の項目順で提示するといった検索ルールが入力される。この検索ルールは、端末制御部３１０により端末３００から情報検索部１１４ｃと設定認識部１１４ｂとに与えられる。【０１６８】
また、設定認識部１１４ｂでは、検索ルールの入力に応答して、検索ルールに対応する設定ファイルの認識、および採用が行われる。このとき、設定認識部１１４ｂが、出力設定情報ＤＢ１２４を参照し、検索ルールが入力されてきた端末３００のユーザについて、各要素に係る出力情報を認識し、設定ファイルに含まれる画面生成ルールを修正する。【０１６９】
情報検索部１１４ｃでは、検索ルールの入力に応答して、検索条件を満たす（すなわち合致する要素の組合せを有する）単レポート構造化データが関連情報ＤＢ１２２から収集される。つまり、関連情報ＤＢ１２２から一部の要素間の関連を示す情報（一部関連情報）が収集される。そして、画面生成ルールに従った結果表示画面データが生成される。このとき、収集された単レポート構造化データのうち、画面生成ルールで規定される所定数の項目および表示順に従って、各項目にそれぞれ属する要素が、項目毎に並べられた一覧表示の態様を実現する結果表示画面データが生成される。なお、結果表示画面データでは、重複して出現する要素は、１つにまとめられる。【０１７０】
より詳細には、この結果表示画面データは、複数の項目に含まれる項目毎に１以上（ここでは複数）の属性値（ここでは、語句）が列挙される情報を含む。なお、この結果表示画面データは、表示制御部３１２の制御により、表示部３４０において結果表示画面として可視的に出力される。この結果表示画面は、一覧表示に含まれる各項目に属する要素（例えば語句）が、読影レポートを構成する要素（レポート構成要素）として指定可能な選択肢として提示されたテンプレート（以下「入力支援テンプレート」とも称する）の形態を有する。【０１７１】
○入力支援テンプレートの概要：
図１７は、入力支援テンプレートＴｐ３を例示する図である。テンプレートＴｐ３上における各種入力および指定は、ユーザである読影医による操作部３３０の操作に応答して入力される信号に基づいて行われる。【０１７２】
図１７で示すように、テンプレートＴｐ３では、最上部に、抽出条件が提示され、その下に、複数の項目（ここでは４項目「撮影条件」「部位」「基本所見」「診断」）をそれぞれ可視的に示す複数の表示要素（項目表示要素）が左方から右方に向かって空間順次に並べられる。また、その項目表示要素の下に、左から順に、項目「撮影条件」「部位」「基本所見」「診断」にそれぞれ属する要素を可視的に示す表示要素として複数の語句（用語や用語を含むフレーズ）Ｆ１〜Ｆ４が列挙される。【０１７３】
例えば、図１７で示すように、属性項目「撮影条件」に対し、複数の語句（Ｔ１強調像、Ｔ２強調像、Ｔ２ＦＬＡＩＲ像）Ｆ１が、属性項目「部位」に対し、複数の語句（視床、・・・、被核）Ｆ２が、属性項目「基本所見」に対し、複数の語句（高信号域、低信号域）Ｆ３が、属性項目「診断」に対し、複数の語句（ラクナ梗塞、陳旧性脳梗塞）Ｆ４が列挙される。【０１７４】
より詳細には、複数の語句Ｆ１が従属先の項目を示す項目表示要素「撮影条件」の下に上下方向に沿って並べられ、複数の語句Ｆ２が従属先の項目を示す項目表示要素「部位」の下に上下方向に沿って並べられ、複数の語句Ｆ３が従属先の項目を示す項目表示要素「基本所見」の下に上下方向に沿って並べられ、複数の語句Ｆ４が従属先の項目を示す項目表示要素「診断」の下に上下方向に沿って並べられる。【０１７５】
この複数の語句Ｆ１〜Ｆ４は、一部関連情報に係る一覧表示に相当し、この一覧表示は、関連情報ＤＢ１２２から抽出された一部の情報が、出力設定情報ＤＢ１２４の出力情報に従って、可視的に出力されたものである。例えば、出力設定情報ＤＢ１２４に図１８で示すようなデータテーブルＴＢ３ａが格納され、端末３００を使用しているユーザがユーザＡである場合には、出力設定情報ＤＢ１２４でユーザＡに対して関連付けられている各要素の出力情報（visibleまたはinvisible）に従って、複数の語句Ｆ１〜Ｆ４が可視的に出力される。つまり、visibleが関連付けられている要素については、複数の語句Ｆ１〜Ｆ４で可視的に出力され、invisibleが関連付けられている要素（例えば、大脳半球、拡大、脳梗塞、亜急性脳梗塞）については、複数の語句Ｆ１〜Ｆ４で可視的に出力されない。【０１７６】
そして、ユーザは、テンプレートＴｐ３を視認することで、過去の知識を参照しつつ、読影レポートを作成することができる。【０１７７】
○所見文の入力：
また、テンプレートＴｐ３では、４項目（撮影条件、部位、基本所見、診断）の各項目に対し、複数の語句Ｆ１〜Ｆ４から１つの語句にマウスポインタＭＰを合わせてマウスの左ボタンを押下（左クリック）することで、新規な読影レポートの所見文を構成する各項目に対応する語句を指定することができる。このとき、ユーザは、テンプレートＴｐ３の下部に表示される読影レポートの所見文の文章モデルＭＤを参照する。この文章モデルＭＤに係る情報は、例えば、教師データ等と併せて外部から与えられる。【０１７８】
この文章モデルＭＤは、「［空白欄Ｗ１］にて［空白欄Ｗ２］において［空白欄Ｗ３］を認める。［空白欄Ｗ４］の疑い。」といった読影レポートの所見文のモデルを示す。そして、空白欄Ｗ１〜Ｗ４には、４つの項目（撮影条件、部位、基本所見、診断）に係る要素（文章を構成する要素、以下「文章構成要素」とも称する）である語句がそれぞれ当てはまる。詳細には、ユーザによる語句の指定により、複数の語句Ｆ１のうちの１つの語句（例えば、Ｔ１強調像）が空白欄Ｗ１に充当され、複数の語句Ｆ２のうちの１つの語句（例えば、脳梁）が空白欄Ｗ２に充当され、複数の語句Ｆ３のうちの１つの語句（例えば、高信号域）が空白欄Ｗ３に充当され、複数の語句Ｆ４のうちの１つの語句（例えば、ラクナ梗塞）が空白欄Ｗ４に充当される。【０１７９】
図１９では、４項目（撮影条件、部位、基本所見、診断）に対し、４つの語句「Ｔ１強調像、脳梁、高信号域、ラクナ梗塞）が指定され、指定された語句を示す表示要素の濃淡が反転されたテンプレートＴｐ３が示されている。このとき、レポート構成部３１４により、文章モデルＭＤ、および空白欄Ｗ１〜Ｗ４に充当された語句に基づく所見文が生成され、領域Ａ６に表示される。【０１８０】
テンプレートＴｐ３において、文章モデルＭＤの空白欄Ｗ１〜Ｗ４にそれぞれ語句が充当されるとともに、領域Ａ６に所見文が表示された状態で、ユーザによって操作部３３０が適宜操作され、領域Ａ１０のボタンＢＴ１がマウスポインタＭＰによって押下されると、表示領域Ａ６に表示された所見文が、新規な所見文として登録される。【０１８１】
このとき、新規に生成された所見文の情報がデータ書込部１１４ｄにより、診療情報ＤＢ２１０に追加登録される。例えば「Ｔ１強調像にて脳梁において高信号域を認める。ラクナ梗塞の疑い。」等といった自然文で構成される所見文を示す情報が生成されて、診療情報ＤＢ２１０に追加登録される。つまり、所定の文章モデルＭＤに沿った新規な所見文を含む新規な読影レポートの情報（新規読影レポート情報）が生成される。また、関連情報生成部１１２によって、新たな単レポート構造化データが生成され、適宜関連情報ＤＢ１２２および組合せ情報ＤＢ１２３が充実化される。【０１８２】
なお、ここでは、各項目に対して１つの文章構成要素を指定したが、これに限られず、例えば、各項目に対して２以上の文章構成要素を指定する等、少なくとも１以上の文章構成要素を指定するようにしても良い。また、レポート構成部３１４が、文章モデルＭＤの空白欄Ｗ１〜Ｗ４に充当された要素（ここでは語句）と、抽出条件を構成する要素（ここでは語句）とを、検査ＩＤと関連付けることで、新規な単レポート構造化情報を生成し、関連情報生成部１１２および組合せ情報生成部１１３により、適宜関連情報ＤＢ１２２および組合せ情報ＤＢ１２３が充実化されても良い。【０１８３】
また、テンプレートＴｐ３では、１以上の項目について要素が指定されると、組合せ情報ＤＢ１２３が参照されて、指定された要素と関連度合いが高い要素の組合せが可視的に区別可能な態様で表示されるようにしても良い。また、ユーザが操作部３３０を種々操作することで、項目の表示順が適宜変更されるようにしても良い。【０１８４】
テンプレートＴｐ３では、ユーザによる操作部３３０からの各種情報の入力に応じて、出力設定情報ＤＢ１２４に従った各種表示、および出力設定情報ＤＢ１２４に格納される出力情報の変更などが可能となっている。出力設定情報ＤＢ１２４に従った各種表示は、設定認識部１１４ｂによる出力情報の認識、情報検索部１１４ｃによる画面を表示するためのデータの生成、表示部３４０におけるデータの可視的な出力によって実現される。また、出力情報の変更は、出力設定情報生成部１１５によって実現される。【０１８５】
○非表示要素の表示および選択：
テンプレートＴｐ３には、各項目（撮影条件、部位、基本所見、診断）について、出力情報「invisible」に従って可視的に表示されなかった語句の表示を要求するボタンＢ１〜Ｂ４が設けられている。テンプレートＴｐ３では、ユーザが操作部３３０を種々操作することで、ボタンＢ１〜Ｂ４のうちの何れか１つのボタンに、マウスポインタＭＰが合わせされて、押下（ここでは、左クリック）されると、所望の１つの項目について、出力情報「invisible」に従って可視的に出力されていない１以上の要素（ここでは語句）が列挙されたリストの表示が要求される。【０１８６】
具体的には、設定認識部１１４ｂが出力設定情報ＤＢ１２４を参照することで、所望の１つの項目に対して、出力情報「invisible」が付された要素が認識される。そして、情報検索部１１４ｃにより、設定認識部１１４ｂによって認識された出力情報「invisible」が付された要素がテンプレートＴｐ３に対して付加された画面を表示するためのデータが生成され、端末３００に転送される。このとき、端末３００では、所望の１つの項目に対して、出力情報「invisible」が付された要素が可視的に出力される。【０１８７】
例えば、図２０で示すように、項目「診断」に係るボタンＢ４がマウスポインタＭＰで押下されると、項目「診断」について、出力情報「invisible」に従って可視的に出力されていない要素（以下「非表示要素」とも称する）が可視的に列挙されたリストの表示が要求される。このとき、図２０で示すように、非表示要素（ここでは、脳梗塞、亜急性期脳梗塞）が可視的に列挙されたリストＣＬ１が、ボタンＢ４の近傍に表示される。つまり、ユーザによる特定の動作に応答して、出力設定情報ＤＢ１２４において可視的な出力を禁止する出力情報が関連付けられた要素が、可視的に出力される。【０１８８】
図２０で示すリストＣＬ１で可視的に列挙される非表示要素は、図１８で示したデータテーブルＴＢ３ａのうち、ユーザＡに対して、出力情報「invisible」が関連付けられた要素に相当する。ここでは、項目「診断」に係る非表示要素のリスト表示を例示して説明したが、項目「診断」以外の各項目（撮影条件、部位、基本所見）についても、ボタンＢ１〜Ｂ３の押下により、１以上の非表示要素が可視的に列挙されたリストが表示される。【０１８９】
そして、図２１で示すように、ユーザは、操作部３３０を種々操作することで、リストＣＬ１で可視的に列挙される１以上の非表示要素のうち、所望の非表示要素にマウスポインタＭＰを合わせて左クリックをすると、該所望の非表示要素が所見文を構成する語句として選択される。このとき、選択された所望の非表示要素は、所見文を構成する複数の項目のうち、該所望の非表示要素が属する項目に対応する語句として指定される。なお、図２１では、項目「診断」に対して、非表示要素「脳梗塞」が選択され、空白欄Ｗ４に選択された要素「脳梗塞」が充当された状態が示されている。【０１９０】
○出力情報の変更：
テンプレートＴｐ３では、ユーザが操作部３３０を適宜操作することで、複数の語句Ｆ１〜Ｆ４に含まれる任意の語句に係る出力情報を「invisible」に変更することができる。【０１９１】
例えば、図２２で示すように、複数の語句Ｆ１〜Ｆ４に含まれる所望の語句（例えば「陳旧性脳梗塞」）にマウスポインタＭＰを合わせて、マウスの右ボタンを押下（右クリック）すると、コマンドリストＣＬ２が、所望の語句の近傍に表示される。コマンドリストＣＬ２には、所望の語句の出力情報を「visible」から「invisible」に変更するコマンドを入力するための表示（以下「非表示化コマンド表示」）が提示される。なお、図２２では、非表示化コマンド表示「表示設定をinvisibleにする」が提示されている状態が示されている。【０１９２】
そして、ユーザが操作部３３０を適宜操作することで、非表示化コマンド表示「表示設定をinvisibleにする」にマウスポインタＭＰを合わせて左クリックをすると、所望の要素の出力情報を「visible」から「invisible」に変更するコマンドが入力される。【０１９３】
このとき、情報検索部１１４ｃが組合せ情報ＤＢ１２３を参照することで、組合せ情報ＤＢ１２３において、所望の要素に対して組み合わされた他の異なる１以上の要素を認識する。そして、情報検索部１１４ｃが、認識された１以上の要素に係る出力情報の変更を要求する画面（以下「関連要素設定入力画面」）を表示するためのデータを生成し、該データに基づき、表示部３４０で、関連要素設定入力画面が表示される。つまり、出力設定情報生成部１１５によって所望の要素に係る出力情報が変更される際には、組合せ情報ＤＢ１２３において、該所望の要素に対して組み合わされた他の異なる１以上の要素について、出力情報の変更を要求する表示要素が可視的に出力される。【０１９４】
図２３は、所望の要素の出力情報が「visible」から「invisible」に変更される際に表示される関連要素設定入力画面Ｔｐ５を例示する図である。【０１９５】
関連要素設定入力画面Ｔｐ５では、出力情報を「visible」から「invisible」に変更するコマンドの入力対象にあたる所望の要素（ここでは、陳旧性脳梗塞）について、関連の深い他の要素に係る出力情報を「visible」から「invisible」に変更するか否かが問われる。【０１９６】
具体的には、例えば、図２３で示すように、項目「撮影条件」に属する要素「Ｔ２強調像」、項目「部位」に属する要素「視床」「前頭葉」、項目「基本所見」に属する要素「高信号域」が、項目ごとに区別可能な態様で列挙される。関連要素設定入力画面Ｔｐ５では、組合せ情報ＤＢ１２３において、要素「陳旧性脳梗塞」に対して所定回数（例えば、３回）以上組み合わされており、且つ出力設定情報ＤＢ１２４で出力情報「visible」が付されている１以上の要素が列挙される。【０１９７】
また、関連要素設定入力画面Ｔｐ５では、各要素（ここでは、語句）の左方には、チェックボックスＣｘ１１，Ｃｘ２１，Ｃｘ２２，Ｃｘ３１が付されている。関連要素設定入力画面Ｔｐ５が表示された初期状態では、チェックボックスＣｘ１１，Ｃｘ２１，Ｃｘ２２，Ｃｘ３１は、各要素に係る出力情報が「visible」であることを示すチェックマークが付された状態（チェック状態）となっている。【０１９８】
ここで、ユーザが操作部３３０を種々操作することで、出力情報を「invisible」に変更すべき要素の左方に付されたチェックボックスにマウスポインタＭＰを合わせて、左クリックを行うと、チェックボックスがチェック状態から、チェックマークが付されていない状態（非チェック状態）に設定される。【０１９９】
そして、適宜、チェックボックスがチェック状態から非チェック状態に変更された状態で、関連要素設定入力画面Ｔｐ５の下部に設けられたＯＫボタンＢｏが、マウスポインタＭＰで押下されると、非チェック状態にされたチェックボックスに係る要素の出力情報を「visible」から「invisible」に変更するコマンドが入力される。つまり、このとき、所望の要素（ここでは、陳旧性脳梗塞）の出力情報を「visible」から「invisible」に変更するコマンド、および該所望の要素（ここでは、陳旧性脳梗塞）と関連の深い要素の出力情報を「visible」から「invisible」に変更するコマンドが入力される。【０２００】
ところで、出力設定情報生成部１１５によって所望の要素の出力情報が「visible」から「invisible」に変更される際には、組合せ情報ＤＢ１２３において該所望の要素に対して組み合わされたその他の異なる１以上の要素について、出力情報を「visible」から「invisible」に変更する指定がなされなければ、表示制御部３１２の制御下で、所定の警告を示す表示要素が表示部３４０において可視的に出力される。【０２０１】
具体的には、関連要素設定入力画面Ｔｐ５で、チェック状態が維持された要素が存在する場合には、ＯＫボタンＢｏの押下に応答して、チェック状態に係る要素の出力情報を「invisible」に変更しないことを確認する警告画面が表示部３４０に表示される。このように、関連の深い要素についても出力情報の変更を促す表示がなされるため、要素の組合せなどといった１つの知識を構成する複数の要素について、見落としなく、可視的な出力の許否などといった可視的な出力条件の変更が可能となる。【０２０２】
図２４は、出力情報を「invisible」に変更しないことを確認する警告画面ＣＧａを例示する図である。【０２０３】
例えば、図２３で示すように、関連要素設定入力画面Ｔｐ５で、４要素（Ｔ２強調像、視床、前頭葉、高信号域）のチェック状態が維持されている場合には、図２４で示すように、警告画面ＣＧａでは、４要素（Ｔ２強調像、視床、前頭葉、高信号域）について、出力情報を「invisible」に設定しなくて良いか否かが問われる。そして、警告画面ＣＧａの下部には、ＯＫボタンＢｏとキャンセルボタンＢｃとが設けられており、ＯＫボタンＢｏがマウスポインタＭＰで押下されると、そのまま出力情報を変更するコマンドが決定される。一方、キャンセルボタンＢｃがマウスポインタＭＰで押下されると、表示制御部３１２の制御により、表示部３４０に表示される画面が、関連要素設定入力画面Ｔｐ５に戻る。【０２０４】
なお、関連要素設定入力画面Ｔｐ５の下部に設けられたキャンセルボタンＢｃがマウスポインタＭＰで押下されると、所望の要素（ここでは、陳旧性脳梗塞）の出力情報を「visible」から「invisible」に変更するコマンドがキャンセルされる。【０２０５】
また、関連要素設定入力画面Ｔｐ５では、マウスポインタＭＰによって、チェックボックスＣｘ０をチェック状態として、ＯＫボタンＢｏがマウスポインタＭＰで押下されると、その後、関連要素設定入力画面Ｔｐ５が表示されなくなる。そして、関連要素設定入力画面Ｔｐ５が表示される代わりに、出力設定情報生成部１１５により、所望の要素の出力情報が「visible」から「invisible」に変更される際には、組合せ情報ＤＢ１２３において該所望の要素に対して組み合わされた他の異なる１以上の要素についても、出力情報が「visible」から「invisible」に変更される。【０２０６】
すなわち、出力情報を「visible」から「invisible」に変更する要素と関連の深い他の要素については、自動的に出力情報が「visible」から「invisible」に変更されるように設定される。なお、関連の深い他の要素についても自動的に出力情報が変更される設定の情報は、例えば、記憶部３２０内に記憶される。このように、関連の深い他の要素も含めて出力情報が自動的に変更されれば、複数の要素によって構成される情報ごとに、可視的な出力の許否などといった可視的な出力条件の変更がなされる。【０２０７】
ここで、出力情報を変更するコマンドに応じた出力設定情報ＤＢ１２４の変更について説明する。【０２０８】
例えば、出力設定情報ＤＢ１２４に図１８で示したようなデータテーブルＴＢ３ａが格納されている場合、図２３で示したように、ユーザＡによる操作部３３０の操作に応答して、所望の要素（陳旧性脳梗塞）の出力情報を「visible」から「invisible」に変更するコマンドが入力されると、出力設定情報生成部１１５により、データテーブルＴＢ３ａ（図１８）が、図２５で示すようなデータテーブルＴＢ３ｂに変更される。【０２０９】
具体的には、ユーザＡと要素「陳旧性脳梗塞」とに対して出力情報「visible」が関連付けられていたデータテーブルＴＢ３ａから、ユーザＡと要素「陳旧性脳梗塞」とに対して出力情報「invisible」が関連付けられたデータテーブルＴＢ３ｂに変更される。【０２１０】
また、テンプレートＴｐ３では、図２０で示したリストＣＬ１で可視的に列挙された１以上の非表示要素（ここでは、脳梗塞、亜急性脳梗塞）の出力情報を「invisible」から「visible」に変更することができる。以下、具体例を示して説明する。【０２１１】
例えば、ユーザが操作部３３０を種々操作することで、図２６で示すように、リストＣＬ１に可視的に列挙された１以上の非表示要素のうち、所望の非表示要素（ここでは、亜急性脳梗塞）にマウスポインタＭＰを合わせて、右クリックが行われると、コマンドリストＣＬ３が、所望の非表示要素の近傍に表示される。コマンドリストＣＬ３には、所望の非表示要素の出力情報を「invisible」から「visible」に変更するコマンドを入力するための表示（以下「表示化コマンド表示」）が提示される。なお、図２６では、表示化コマンド表示「表示設定をvisibleにする」が提示されている状態が示されている。【０２１２】
そして、ユーザが操作部３３０を適宜操作することで、表示化コマンド表示「表示設定をvisibleにする」にマウスポインタＭＰを合わせて左クリックをすると、所望の要素の出力情報を「invisible」から「visible」に変更するコマンドが入力される。【０２１３】
このとき、情報検索部１１４ｃが組合せ情報ＤＢ１２３を参照することで、組合せ情報ＤＢ１２３において、所望の要素に対して組み合わされた他の異なる１以上の要素を認識する。そして、情報検索部１１４ｃが、認識された１以上の要素に係る出力情報の変更を要求する関連要素設定入力画面を表示するためのデータを生成し、該データに基づき、表示部３４０で、関連要素設定入力画面が表示される。【０２１４】
図２７は、所望の要素の出力情報が「invisible」から「visible」に変更される際に表示される関連要素設定入力画面Ｔｐ６を例示する図である。【０２１５】
関連要素設定入力画面Ｔｐ６では、出力情報を「invisible」から「visible」に変更するコマンドの入力対象にあたる所望の要素（ここでは、亜急性脳梗塞）について、関連の深い他の要素に係る出力情報を「invisible」から「visible」に変更するか否かが問われる。【０２１６】
具体的には、関連要素設定入力画面Ｔｐ６では、組合せ情報ＤＢ１２３において、所望の要素（例えば、亜急性脳梗塞）に対して所定回数（例えば、３回）以上組み合わされており、且つ出力設定情報ＤＢ１２４で出力情報「invisible」が付されている１以上の要素が列挙される。例えば、図２７で示すように、項目「部位」に属する要素「大脳半球」が、属する項目が区別可能な態様で列挙される。【０２１７】
また、関連要素設定入力画面Ｔｐ６では、各要素（ここでは、１つの語句）の左方には、チェックボックスＣｘ２３が付されている。関連要素設定入力画面Ｔｐ６が表示された初期状態では、チェックボックスＣｘ２３は、各要素に係る出力情報が「invisible」であることを示すチェックマークが付されていない非チェック状態となっている。【０２１８】
ここで、ユーザが操作部３３０を種々操作することで、出力情報を「visible」に変更すべき要素の左方に付されたチェックボックスにマウスポインタＭＰを合わせて、左クリックを行うと、チェックボックスが非チェック状態からチェック状態に設定される。【０２１９】
そして、適宜、チェックボックスが非チェック状態からチェック状態に変更された状態で、関連要素設定入力画面Ｔｐ６の下部に設けられたＯＫボタンＢｏが、マウスポインタＭＰで押下されると、チェック状態にされた要素に係る出力情報を「invisible」から「visible」に変更するコマンドが入力される。つまり、このとき、所望の要素（ここでは、亜急性脳梗塞）の出力情報を「invisible」から「visible」に変更するコマンド、および該所望の要素（ここでは、亜急性脳梗塞）と関連の深い要素（例えば、大脳半球）の出力情報を「invisible」から「visible」に変更するコマンドが入力される。【０２２０】
ところで、出力設定情報生成部１１５によって所望の要素の出力情報が「invisible」から「visible」に変更される際には、組合せ情報ＤＢ１２３において該所望の要素に対して組み合わされたその他の異なる１以上の要素について、出力情報を「invisible」から「visible」に変更する指定がなされていなければ、表示制御部３１２の制御下で、所定の警告を示す表示要素が表示部３４０において可視的に出力される。【０２２１】
具体的には、関連要素設定入力画面Ｔｐ６で、非チェック状態が維持された要素が存在する場合には、ＯＫボタンＢｏの押下に応答して、非チェック状態に係る要素の出力情報を「visible」に変更しないことを確認する警告画面が表示部３４０に表示される。このように、関連の深い要素についても出力情報の変更を促す表示がなされるため、要素の組合せなどといった１つの知識を構成する複数の要素について、見落としなく、可視的な出力の許否などといった可視的な出力条件の変更が可能となる。【０２２２】
図２８は、出力情報を「visible」に変更しないことを確認する警告画面ＣＧｂを例示する図である。【０２２３】
仮に、関連要素設定入力画面Ｔｐ６で、１要素（大脳半球）の非チェック状態が維持されている場合には、図２８で示すように、警告画面ＣＧｂでは、１要素（大脳半球）について、出力情報を「visible」に設定しなくて良いか否かが問われる。そして、警告画面ＣＧｂの下部には、ＯＫボタンＢｏとキャンセルボタンＢｃとが設けられており、ＯＫボタンＢｏがマウスポインタＭＰで押下されると、そのまま出力情報を変更するコマンドが決定される。一方、キャンセルボタンＢｃがマウスポインタＭＰで押下されると、表示制御部３１２の制御により、表示部３４０に表示される画面が、関連要素設定入力画面Ｔｐ６に戻る。【０２２４】
なお、関連要素設定入力画面Ｔｐ６の下部に設けられたキャンセルボタンＢｃがマウスポインタＭＰで押下されると、所望の要素（ここでは、亜急性脳梗塞）の出力情報を「invisible」から「visible」に変更するコマンドがキャンセルされる。【０２２５】
また、関連要素設定入力画面Ｔｐ６では、マウスポインタＭＰによって、チェックボックスＣｘ１をチェック状態として、ＯＫボタンＢｏが、マウスポインタＭＰで押下されると、その後、関連要素設定入力画面Ｔｐ６が表示されなくなる。そして、関連要素設定入力画面Ｔｐ６が表示されない代わりに、出力設定情報生成部１１５により、所望の要素の出力情報が「invisible」から「visible」に変更される際には、組合せ情報ＤＢ１２３において該所望の要素に対して組み合わされた他の異なる１以上の要素についても、出力情報が「invisible」から「visible」に変更される。【０２２６】
すなわち、出力情報を「invisible」から「visible」に変更する要素と関連の深い他の要素については、自動的に出力情報が「invisible」から「visible」に変更されるように設定される。なお、関連の深い他の要素についても自動的に出力情報が変更される設定の情報は、例えば、記憶部３２０内に記憶される。このように、関連の深い他の要素も含めて出力情報が自動的に変更されれば、複数の要素によって構成される情報ごとに、可視的な出力の許否などといった可視的な出力条件の変更がなされる。【０２２７】
ここで、出力情報を変更するコマンドに応じた出力設定情報ＤＢ１２４の変更について説明する。【０２２８】
例えば、出力設定情報ＤＢ１２４に図１８で示したようなデータテーブルＴＢ３ａが格納されている場合、図２７で示したように、ユーザＡによる操作部３３０の操作に応答して、２要素（亜急性脳梗塞、大脳半球）の出力情報を「invisible」から「visible」に変更するコマンドが入力されると、出力設定情報生成部１１５により、データテーブルＴＢ３ａ（図１８）が、図２９で示すようなデータテーブルＴＢ３ｃに変更される。【０２２９】
具体的には、ユーザＡと要素「亜急性脳梗塞」との組合せ、ユーザＡと要素「大脳半球」との組合せに対して出力情報「invisible」が関連付けられていたデータテーブルＴＢ３ａから、ユーザＡと要素「亜急性脳梗塞」との組合せ、ユーザＡと要素「大脳半球」との組合せに対して出力情報「visible」が関連付けられたデータテーブルＴＢ３ｃに変更される。【０２３０】
このようにして、出力設定情報ＤＢ１２４において出力情報「invisible」が関連付けられた非表示要素を可視的に出力するリストＣＬ１を表示部３４０に表示させた状態で、ユーザの操作部３３０に対する所定の動作に応答して、出力設定情報生成部１１５により、非表示要素に対して関連付けられていた出力情報「invisible」が、出力情報「visible」に変更される。このとき、非表示要素を可視的に出力した状態で、その非表示要素の出力を許可する設定の変更ができるため、出力を許可するか否かの判断が容易となる。【０２３１】
○追加情報の入力：
図１７で示すように、テンプレートＴｐ３には、４つの用語追加ボタンＡｂ１〜Ａｂ４が設けられている。４つの用語追加ボタンＡｂ１〜Ａｂ４は、４つの項目（撮影条件、部位、基本所見、診断）に属する用語をそれぞれ追加するためのボタンである。より詳細には、用語追加ボタンＡｂ１が項目「撮影条件」に属する用語を追加するためのボタン、用語追加ボタンＡｂ２が項目「部位」に属する用語を追加するためのボタン、用語追加ボタンＡｂ３が項目「基本所見」に属する用語を追加するためのボタン、用語追加ボタンＡｂ４が項目「診断」に属する用語を追加するためのボタンである。【０２３２】
ユーザが操作部３３０を適宜操作することで、用語追加ボタンＡｂ１〜Ａｂ４のいずれかをマウスポインタＭＰで押下すると、表示制御部３１２の制御下で、用語の作成を行うためのテンプレート（以下「用語作成テンプレート」）が表示部３４０に表示される。以下、用語追加ボタンＡｂ４が押下された場合を例にとって説明する。【０２３３】
図３０は、用語追加ボタンＡｂ４が押下されることで、テンプレートＴｐ３上に重畳して表示される用語作成テンプレートＴｐ４を例示する図である。【０２３４】
用語作成テンプレートＴｐ４には、用語記入欄Ｂｘ１、追加接頭語記入欄Ｂｘ２、追加接尾語記入欄Ｂｘ４、ＯＫボタンＢｏ、およびキャンセルボタンＢｃが設けられている。【０２３５】
用語記入欄Ｂｘ１は、新規に追加したい用語を記入する欄である。マウスポインタＭＰを用語記入欄Ｂｘ１に合わせて左クリックを行って用語記入欄Ｂｘ１にカーソルを出現させた状態で、キーボードからの情報の入力により、所望の用語が用語記入欄Ｂｘ１に記入される。【０２３６】
追加接頭語記入欄Ｂｘ２は、用語記入欄Ｂｘ１に記入された用語に対して追加したい接頭語を記入する欄であり、追加接尾語記入欄Ｂｘ４は、用語記入欄Ｂｘ１に記入された用語に対して追加したい接尾語を記入する欄である。そして、マウスポインタＭＰを追加接頭語記入欄Ｂｘ２、および追加接尾語記入欄Ｂｘ４のいずれかに合わせて左クリックを行って、追加接頭語記入欄Ｂｘ２、および追加接尾語記入欄Ｂｘ４のいずれかにカーソルを出現させた状態で、キーボードからの情報の入力により、所望の接頭語が追加接頭語記入欄Ｂｘ２が記入されるか、または追加接尾語記入欄Ｂｘ４に接尾語が記入される。【０２３７】
そして、例えば、用語記入欄Ｂｘ１に用語「急性脳梗塞」が記入された状態で、ＯＫボタンＢｏがマウスポインタＭＰで押下されると、図３１で示すように、項目「診断」の空白欄Ｗ４に「急性脳梗塞」が記入される。一方、キャンセルボタンＢｃがマウスポインタＭＰで押下されると、領域Ａ５から用語作成テンプレートＴｐ４が消え、領域Ａ５はテンプレートＴｐ３が表示された状態となる。【０２３８】
そして、例えば、図３１で示すように、空白欄Ｗ１〜Ｗ４に４つの語句（Ｔ１強調像、前頭葉、高信号域、急性脳梗塞）が充当され、領域Ａ６に所見文「Ｔ１強調像にて前頭葉において高信号域を認める。急性脳梗塞の疑い。」が表示された状態で、ボタンＢＴ１がマウスポインタＭＰによって押下されると、レポート構成部３１４により、領域Ａ６に表示された所見文が、新規な所見文として登録される。【０２３９】
このとき、新規に生成された所見文の情報がデータ書込部１１４ｄにより、診療情報ＤＢ２１０に追加登録されるとともに、関連情報生成部１１２によって、新たな単レポート構造化データが生成され、適宜関連情報ＤＢ１２２および組合せ情報ＤＢ１２３が充実化される。この新たな単レポート構造化データを構成する要素に少なくとも１以上の新規な要素（例えば、急性脳梗塞）、すなわち追加情報が含まれていれば、出力設定情報ＤＢ１２４に対して新規な要素の出力情報が追加される。【０２４０】
つまり、端末３００からの少なくとも１以上の要素に係る追加情報の入力に応答して、関連情報生成部１１２によって関連情報ＤＢ１２２に追加情報が追記されるとともに、出力設定情報生成部１１５によって出力設定情報ＤＢ１２４に追加情報の出力に係る情報を関連付けた出力設定情報が記憶される。【０２４１】
また、このとき、出力設定情報ＤＢ１２４では、追加情報を入力したユーザについては、追加情報に対して出力情報「visible」が関連付けられる一方、その他のユーザについては、追加情報に対して出力情報「invisible」が関連付けられる。【０２４２】
図３２は、ユーザＢが端末３００から要素「急性脳梗塞」を追加情報として入力した直後における出力設定情報ＤＢ１２４のデータ内容を例示する図である。図３２で示すように、追加情報を入力したユーザＢについては、追加情報である要素「急性脳梗塞」に対して出力情報「visible」が関連付けられる。一方、その他のユーザ（例えば、ユーザＡ）については、追加情報である要素「急性脳梗塞」に対して出力情報「invisible」が関連付けられる。【０２４３】
このように、関連情報ＤＢ１２２および組合せ情報ＤＢ１２３に対して追加情報が追記された際には、追加情報を追記したユーザに対しては、追加情報の可視的な出力が許可され、他のユーザに対しては、追加情報の可視的な出力が禁止される。このため、ユーザが自分で入力した追加情報については、次回より、テンプレートＴｐ３において複数の語句Ｆ１〜Ｆ４に含まれるような形態で可視的に出力され、ユーザの状況に即した過去の知識の提供が可能となる。また、追加情報を追加していないユーザにとっては、唐突に他のユーザによる追加情報を押し付けられることがない。【０２４４】
そして、他のユーザにとって、追加情報が必要な情報であるのか否か不明であるため、追加情報が追加された直後では、追加された要素は非表示要素として設定されるが、上述したような動作により、適宜非表示要素に係る出力情報が「invisible」から「visible」に変更される。つまり、テンプレートＴｐ３において追加情報を可視的に出力するか否かを設定する選択権が他のユーザに対して与えられる。【０２４５】
但し、あるユーザによって関連情報ＤＢ１２２に追加情報が追加されたことが、テンプレートＴｐ３に対して何らかの形で反映されなければ、他のユーザは、追加情報が追記されたことに気が付き難い。【０２４６】
そこで、情報処理システム１では、追加情報が関連情報ＤＢ１２２に追記されたことに応じて、追記された時点から所定期間だけ、追加情報が追記された旨を伝えるメッセージの表示要素（メッセージ表示）がテンプレートＴｐ３において可視的に出力されるように構成されている。このような構成が採用されると、関連情報ＤＢ１２２に追加情報が追記されたことに気が付かずに、他のユーザによる追加情報を参照しないままとなってしまう不具合が回避される。【０２４７】
図３３は、テンプレートＴｐ３にメッセージ表示ＢＬが提示された状態を示す図である。例えば、項目「診断」に対して、ある要素（例えば、急性脳梗塞）が追加された場合には、図３３で示すように、項目「診断」に係るボタンＢ４の近傍に、新しい用語が追加された旨を示すメッセージ表示ＢＬが提示される。なお、例えば、図３２で示すように、出力設定情報ＤＢ１２４において、追加情報（ここでは、要素「急性脳梗塞」）に該追加情報が追記されたタイミングを示す情報（例えば、年月日および時刻）を関連付けておけば、メッセージ表示ＢＬが提示される期間を容易に制御することができる。【０２４８】
また、情報処理システム１では、非表示要素を可視的に出力する際に、非表示要素に追加情報が含まれる場合には、該追加情報が、追記された旨を示す表示要素（例えば、Ｎｅｗ）とともに、可視的に出力される。このため、他のユーザによる追加情報の追記を容易に把握することができる。【０２４９】
図３４は、テンプレートＴｐ３において、ボタンＢ４のマウスポインタＭＰによる押下に応答して、ボタンＢ４の近傍に、項目「診断」に係る非表示要素が可視的に列挙されたリストＣＬ１ａが表示された状態を例示する図である。例えば、ユーザＢによって、項目「診断」に対してある要素（例えば、急性脳梗塞）が追加された直後に、ユーザＡが端末３００を使用している場合には、図３４で示すように、リストＣＬ１ａでは、追加情報である要素「急性脳梗塞」が、該要素が追記された旨を示す表示要素（ここでは、Ｎｅｗ）ＥＬｎとともに可視的に出力される。【０２５０】
なお、表示要素ＥＬｎが可視的に出力される期間としては、追加情報が関連情報ＤＢ１２２に追記された時点から所定期間だけ経過する期間であることが好ましい。例えば、図３２で示したように、出力設定情報ＤＢ１２４において、追加情報（ここでは、要素「急性脳梗塞」）に該追加情報が追記されたタイミングを示す情報（例えば、年月日および時刻）を関連付けておけば、表示要素ＥＬｎが提示される期間が容易に制御される。【０２５１】
また、図２２および図２６を示しつつ、テンプレートＴｐ３において語句ごとに出力設定を「invisible」と「visible」との間で変更する態様について説明したが、これに限られず、ユーザ自らの出力情報の設定をまとめて変更することも可能である。以下、具体的に説明する。【０２５２】
図１９などで示したように、テンプレートＴｐ３の右下方に、ユーザ自らの出力情報を示すリストの表示を要求するためのボタンＬＤＢが設けられている。テンプレートＴｐ３が表示された状態において、ユーザが操作部３３０を適宜操作することで、マウスポインタＭＰでボタンＬＤＢを押下すると、設定認識部１１４ｂおよび情報検索部１１４ｃにより、出力設定情報ＤＢ１２４から、ボタンＬＤＢを押下したユーザに係る出力設定情報が抽出される。そして、表示制御部３１２により、抽出された出力設定情報に基づき、出力情報のリスト（出力情報リスト）が、表示部３４０で可視的に出力される。このように、追加情報の可視的な出力に係る情報が可視的に出力されると、ユーザにとって可視的な出力に係る情報を変更するか否かの判断が容易となる。【０２５３】
図３５は、出力情報リストＴｐ７を例示する図である。図３５では、出力設定情報ＤＢ１２４のデータ内容が、図３２で示したようなものであった場合に、ユーザＡによってボタンＬＤＢが押下されて、テンプレートＴｐ３上に重畳表示された出力情報リストＴｐ７が例示されている。【０２５４】
出力情報リストＴｐ７では、各要素（例えば、Ｔ１強調像、Ｔ２強調像、・・・、急性脳梗塞）について、出力情報（ここでは、visibleまたはinvisible）が関連付けられている。そして、各出力情報（ここでは、visibleまたはinvisible）の表示要素は、いわゆるプルダウンリストとなっており、マウスポインタＭＰの動きに応じて、出力情報の表示が切り替えられる。【０２５５】
なお、出力情報リストＴｐ７では、ボタンＬＤＢを押下したユーザに係る出力設定情報のうち、ユーザによる操作部３３０の操作により関連情報ＤＢ１２２に対して最近追記された追加情報が存在している場合には、該追加情報が、追記された旨を示す表示要素（例えば、Ｎｅｗ）ＥＬｍとともに、可視的に出力される。このため、ユーザは、可視的な出力に係る情報を変更するか否かを判断すべき追加情報を容易に把握することができる。【０２５６】
また、例えば、図３２で示したように、出力設定情報ＤＢ１２４において、追加情報（ここでは、要素「急性脳梗塞」）に対して、該追加情報が追記されたタイミングを示す情報（例えば、年月日および時刻）を関連付けておけば、表示要素ＥＬｍが提示される期間が容易に制御される。【０２５７】
また、出力情報リストＴｐ７の下方には、ＯＫボタンＢｏとキャンセルボタンＢｃが設けられており、キャンセルボタンＢｃがマウスポインタＭＰで押下されると、単に出力情報リストＴｐ７の表示が終了される。一方、出力情報リストＴｐ７において、１以上の出力情報の表示要素が適宜切り替えられて、ＯＫボタンＢｏがマウスポインタＭＰで押下されると、現在操作中のユーザについて、１以上の要素の出力情報が変更される。【０２５８】
○入力支援動作の動作フロー：
図３６から図４２は、情報処理システム１における入力支援動作の動作フローを示すフローチャートである。本動作フローは、サーバ制御部１１０と端末制御部３１０，４１０，５１０，６１０とが協働することで実現される。ここでは、ユーザが端末３００を操作しつつ、入力支援動作が行われる例を挙げて説明する。なお、端末３００におけるユーザの操作に応答して、ログイン画面Ｔｐ１において識別情報が入力されると、情報処理システム１へのログインが行われ、図３６のステップＳ１に進む。【０２５９】
ステップＳ１では、データ読込部１１４ａにより、診療情報ＤＢ２１０から検査リスト情報が読み込まれ、表示制御部３１２により、検査リスト情報に基づき、図１０で示したような検査一覧画面Ｇ１が表示部３４０に表示される。【０２６０】
ステップＳ２では、端末制御部３１０により、検査一覧画面Ｇ１で入力対象検査が特定されたか否か判定される。ここでは、入力対象検査が特定されるまでステップＳ２の判定が繰り返され、入力対象検査が特定されると、ステップＳ３に進む。このとき、診療情報ＤＢ２１０からレポート入力対象検査に対応する依頼事項、および検査の詳細を示す属性情報がデータ読込部１１４ａによって読み込まれ、端末３００の端末制御部３１０に提供される。更に、レポート入力対象検査が特定される際に、項目「検査部位」に属する要素（例えば、ＳＫＵＬＬ）と項目「モダリティ」に属する要素（例えば、ＭＲ）との組合せも同時に指定され認識される。【０２６１】
ステップＳ３では、表示制御部３１２により、図１１で示したような読影レポート入力画面Ｇ２が表示部３４０に表示される。【０２６２】
ステップＳ４では、情報検索部１１４ｃにより、読影レポート入力画面Ｇ２の領域Ａ５に、図１６で示したような抽出条件決定テンプレートＴｐ２が表示部３４０に提示される。【０２６３】
ステップＳ５では、テンプレートＴｐ２が表示された状態で、ユーザが操作部３３０を種々操作すると、端末制御部３１０によって検索条件が決定される。ここでは、テンプレートＴｐ２が表示された状態で、ユーザが操作部３３０を種々操作することにより、マウスポインタＭＰが所望の選択肢に合わされて、所定の操作が行われると、項目「カテゴリ」に対して所望の選択肢が指定される。このとき、検査一覧画面（例えば図１０）、およびテンプレートＴｐ２（例えば図１６）で指定される複数の項目と要素との組合せが検索条件として決定される。【０２６４】
ステップＳ６では、情報検索部１１４ｃにより、関連情報ＤＢ１２２から、ステップＳ５で決定された検索条件に合致する一部の情報（一部関連情報）が抽出される。【０２６５】
ステップＳ７では、表示制御部３１２により、出力設定情報ＤＢ１２４に応じた入力支援テンプレートＴｐ３が表示部３４０において表示される。ここでは、情報検索部１１４ｃにより、取得された一部関連情報に基づき、検索ルールに対応する画面生成ルールに従って、結果表示画面データが生成され、表示制御部３１２により、結果表示画面データに基づき、入力支援テンプレートＴｐ３が表示部３４０において表示される。【０２６６】
図３７のステップＳ１１では、端末制御部３１０により、入力支援テンプレートＴｐ３における語句の指定、および出力情報の変更に係る各種情報の入力が受け付けられる。ここでは、ユーザによる操作部３３０の操作に応じて、各種情報の入力が行われる。【０２６７】
ステップＳ１２では、端末制御部３１０により、用語を追加するための指示があったか否か判定される。ここでは、用語追加ボタンＡｂ１〜Ａｂ４のうちのいずれか１つのボタンが押下されれば、用語を追加するための指示があったものとして、ステップＳ１３に進み、用語を追加するための指示がなければ、図３８のステップＳ２１に進む。【０２６８】
ステップＳ１３では、表示制御部３１２により、図３０で示したような用語作成テンプレートＴｐ４が表示部３４０に表示される。【０２６９】
ステップＳ１４では、端末制御部３１０により、用語の追加をキャンセルするか否か判定される。例えば、用語作成テンプレートＴｐ４でキャンセルボタンＢｃが押下されると、用語の追加をキャンセルするものと判定されて、図３８のステップＳ２１に進む。一方、用語の追加がキャンセルされていなければ、ステップＳ１５に進む。【０２７０】
ステップＳ１５では、端末制御部３１０により、用語の追加が決定されたか否か判定される。例えば、用語作成テンプレートＴｐ４でＯＫボタンＢｏが押下されていなければ、用語の追加が決定されていないものと判定されて、ステップＳ１４に戻り、ＯＫボタンＢｏが押下されれば、用語の追加が決定されたと判定されて、ステップＳ１６に進む。【０２７１】
ステップＳ１６では、端末制御部３１０により、追加された用語が入力される。例えば、用語作成テンプレートＴｐ４で追加された用語（例えば、急性脳梗塞）が、所見文を構成する複数の項目のうち、従属先である項目（例えば、診断）に属するレポート構成要素として入力される。このとき、空白欄Ｗ１〜Ｗ４のいずれか１つの空白欄に、追加された用語が充当される。【０２７２】
図３８のステップＳ２１では、端末制御部３１０により、非表示要素を表示する要求があったか否か判定される。ここでは、入力支援テンプレートＴｐ３に設けられたボタンＢ１〜Ｂ４のうちのいずれか１つのボタンが押下されれば、非表示要素を表示する要求があったものと判定されて、ステップＳ２２に進む。一方、非表示要素を表示する要求がなければ、図４０のステップＳ４１に進む。【０２７３】
ステップＳ２２では、表示制御部３１２により、図２０で示したリストＣＬ１のように、所望の項目に係る非表示要素が可視的に列挙されるリストが表示部３４０に表示される。【０２７４】
ステップＳ２３では、端末制御部３１０により、ステップＳ２２で表示されたリストに列挙されている非表示要素をレポート構成要素として入力する指示があったか否か判定される。ここでは、図２１で示すようにリストに含まれる所望の非表示要素にマウスポインタＭＰが合わされて左クリックが行われると、該所望の非表示要素が、従属先である項目（例えば、診断）に属するレポート構成要素として入力する指示があったものと判定され、ステップＳ２４に進む。一方、非表示要素をレポート構成要素として入力する指示がなければ、ステップＳ２５に進む。【０２７５】
ステップＳ２４では、端末制御部３１０により、ユーザによる指示に応答して、非表示要素がレポート構成要素として入力される。【０２７６】
ステップＳ２５では、端末制御部３１０により、非表示要素に係るコマンドリストの表示が要求されたか否か判定される。ここでは、図２１で示すようにリストに含まれる所望の非表示要素である語句にマウスポインタＭＰが合わされて右クリックが行われると、非表示要素に係るコマンドリストの表示が要求されたものと判定されて、ステップＳ２６に進む。一方、非表示要素に係るコマンドリストの表示が要求されなければ、図４０のステップＳ４１に進む。【０２７７】
ステップＳ２６では、表示制御部３１２により、所望の非表示要素である語句の近傍に、所望の非表示要素に係るコマンドリストが表示部３４０に表示される。例えば、図２６で示したようなコマンドリストＣＬ３が、所望の語句の近傍に表示される。【０２７８】
ステップＳ２７では、端末制御部３１０により、ステップＳ２６で表示されたコマンドリストにおいて、出力情報をvisibleに変更する要求があったか否か判定される。ここでは、図２６で示したようなコマンドリストに含まれる表示化コマンド表示にマウスポインタＭＰが合わされて、左クリックがなされると、所望の非表示要素である語句に係る出力情報をvisibleに変更する要求があったものと判定されて、図３９のステップＳ３１に進む。一方、所望の非表示要素である語句に係る出力情報をvisibleに変更する要求がなければ、図４０のステップＳ４１に進む。【０２７９】
図３９のステップＳ３１では、端末制御部３１０により、記憶部３２０内に記憶された設定の情報が参照されて、関連の強い語句に係る出力情報が自動的に変更される設定であるか否か判定される。ここでは、関連の強い語句に係る出力情報が自動的に変更される設定であれば、ステップＳ３６に進み、関連の強い語句に係る出力情報が自動的に変更される設定でなければ、ステップＳ３２に進む。例えば、図２７で示した関連要素設定入力画面Ｔｐ６において、チェックボックスＣｘ１がチェック状態とされて、ＯＫボタンＢｏがマウスポインタＭＰで押下されていれば、関連の強い語句に係る出力情報が自動的に変更される設定となっている。【０２８０】
ステップＳ３２では、設定認識部１１４ｂにより、出力情報がvisibleに変更される対象となっている非表示要素（以下「表示化対象要素」）である語句と関連の強い非表示要素である語句があるか否か判定される。ここでは、組合せ情報ＤＢ１２３において、表示化対象要素である語句に対して所定回数（例えば、３回）以上組み合わされている非表示要素である語句があれば、関連の強い語句があるものと判定されて、ステップＳ３３に進む。一方、関連の強い語句がなければ、ステップＳ３６に進む。【０２８１】
ステップＳ３３では、設定認識部１１４ｂおよび表示制御部３１２の制御により、表示化対象要素である語句と関連の強い語句に係る出力情報の変更を行う画面（関連要素設定入力画面）が表示される。例えば、図２７で示した関連要素設定入力画面Ｔｐ６が表示部３４０に表示される。【０２８２】
ステップＳ３４では、端末制御部３１０により、表示化対象要素である語句と関連の強い語句に係る出力情報を変更する指示が受け付けられる。例えば、関連要素設定入力画面Ｔｐ６上における各種指示が受け付けられる。【０２８３】
ステップＳ３５では、端末制御部３１０により、出力情報の変更が決定されたか否か判定される。ここでは、図２７で示したような関連要素設定入力画面Ｔｐ６でＯＫボタンＢｏがマウスポインタＭＰで押下されると、出力情報の変更が決定されたものと判定されて、ステップＳ３６に進む。一方、出力情報の変更が決定されていなければ、ステップＳ３４に戻る。【０２８４】
ステップＳ３６では、出力設定情報生成部１１５により、出力設定情報ＤＢ１２４に含まれる端末３００を使用中のユーザに係る出力設定情報のうち、表示化対象要素、および該表示化対象要素と関連の強い要素について、出力情報がinvisibleからvisibleに変更される。例えば、ステップＳ３１から進んできた場合には、表示化対象要素、および組合せ情報ＤＢ１２３において表示化対象要素と所定回数（例えば３回）以上組み合わされた要素について、出力情報がinvisibleからvisibleに変更される。また、ステップＳ３５から進んできた場合には、表示化対象要素、および関連要素設定入力画面Ｔｐ６で出力情報を変更するものと決定された要素について、出力情報がinvisibleからvisibleに変更される。【０２８５】
ステップＳ３７では、ステップＳ３６における出力設定情報の変更に応じて、情報検索部１１４ｃによって、結果表示画面データが再度生成され、表示制御部３１２により、変更後の出力情報に応じた入力支援テンプレートＴｐ３が表示部３４０に表示される。【０２８６】
図４０のステップＳ４１では、端末制御部３１０により、表示要素に係るコマンドリストを表示する要求があったか否か判定される。ここでは、入力支援テンプレートＴｐ３で、複数の語句Ｆ１〜Ｆ４に含まれる所望の語句にマウスポインタＭＰが合わされて、右クリックがなされると、表示要素に係るコマンドリストを表示する要求があったものと判定されて、ステップＳ４２に進む。一方、表示要素に係るコマンドリストを表示する要求がなければ、図４１のステップＳ５１に進む。【０２８７】
ステップＳ４２では、表示制御部３１２により、図２２で示したリストＣＬ２のように、所望の表示要素に係るコマンドリストが表示部３４０に表示される。【０２８８】
ステップＳ４３では、端末制御部３１０により、ステップＳ４２で表示されたコマンドリストで出力情報をvisibleに変更する要求があったか否か判定される。ここでは、図２２で示したようなコマンドリストＣＬ２に含まれる非表示化コマンド表示にマウスポインタＭＰが合わされて、左クリックがなされると、所望の表示要素である語句に係る出力情報をinvisibleに変更する要求があったものと判定されて、ステップＳ４４に進む。一方、出力情報をinvisibleに変更する要求がなければ、図４１のステップＳ５１に進む。【０２８９】
ステップＳ４４では、端末制御部３１０により、記憶部３２０内に記憶された設定の情報が参照されて、関連の強い語句に係る出力情報が自動的に変更される設定であるか否か判定される。ここでは、関連の強い語句に係る出力情報が自動的に変更される設定であれば、ステップＳ４９に進み、関連の強い語句に係る出力情報が自動的に変更される設定でなければ、ステップＳ４５に進む。例えば、図２３で示した関連要素設定入力画面Ｔｐ５において、チェックボックスＣｘ０がチェック状態とされて、ＯＫボタンＢｏがマウスポインタＭＰで押下されていれば、関連の強い語句に係る出力情報が自動的に変更される設定となっている。【０２９０】
ステップＳ４５では、設定認識部１１４ｂにより、出力情報がinvisibleに変更される対象となっている表示要素（以下「非表示化対象要素」）である語句と関連の強い表示要素である語句があるか否か判定される。ここでは、組合せ情報ＤＢ１２３において、非表示化対象要素である語句に対して所定回数（例えば、３回）以上組み合わされている表示要素である語句があれば、関連の強い語句があるものと判定されて、ステップＳ４６に進む。一方、関連の強い語句がなれば、ステップＳ４９に進む。【０２９１】
ステップＳ４６では、設定認識部１１４ｂおよび表示制御部３１２の制御により、非表示化対象要素である語句に対して関連の強い語句に係る出力情報の変更を行う画面（関連要素設定入力画面）が表示される。例えば、図２３で示した関連要素設定入力画面Ｔｐ５が表示部３４０に表示される。【０２９２】
ステップＳ４７では、端末制御部３１０により、非表示化対象要素である語句に対する関連が強い語句に係る出力情報を変更する指示が受け付けられる。例えば、関連要素設定入力画面Ｔｐ５上における各種指示が受け付けられる。【０２９３】
ステップＳ４８では、端末制御部３１０により、出力情報の変更が決定されたか否か判定される。ここでは、図２３で示したような関連要素設定入力画面Ｔｐ５でＯＫボタンＢｏがマウスポインタＭＰで押下されると、出力情報の変更が決定されたものと判定されて、ステップＳ４９に進む。一方、出力情報の変更が決定されていなければ、ステップＳ４７に戻る。【０２９４】
ステップＳ４９では、出力設定情報生成部１１５により、出力設定情報ＤＢ１２４に含まれる端末３００を使用中のユーザに係る出力設定情報のうち、非表示化対象要素、および該非表示化対象要素と関連の強い要素について、出力情報がvisibleからinvisibleに変更される。例えば、ステップＳ４４から進んできた場合には、非表示化対象要素、および組合せ情報ＤＢ１２３において非表示化対象要素と所定回数（例えば３回）以上組み合わされた要素について、出力情報がvisibleからinvisibleに変更される。また、ステップＳ４８から進んできた場合には、非表示化対象要素、および関連要素設定入力画面Ｔｐ５で出力情報を変更するものと決定された要素について、出力情報がvisibleからinvisibleに変更される。【０２９５】
ステップＳ５０では、ステップＳ４９における出力設定情報の変更に応じて、情報検索部１１４ｃによって、結果表示画面データが再度生成され、表示制御部３１２により、変更後の出力情報に応じた入力支援テンプレートＴｐ３が表示部３４０に表示される。【０２９６】
図４１のステップＳ５１では、端末制御部３１０により、現在、操作部３３０を操作しているユーザに係る出力情報のリストを表示する要求があったか否か判定される。ここでは、入力支援テンプレートＴｐ３で、ボタンＬＤＢがマウスポインタＭＰで押下されれば、出力情報のリストを表示する要求があったものと判定されて、ステップＳ５２に進む。一方、出力情報のリストを表示する要求がなければ、図４２のステップＳ６１に進む。【０２９７】
ステップＳ５２では、設定認識部１１４ｂおよび表示制御部３１２の制御により、出力情報のリストが表示部３４０に表示される。例えば、テンプレートＴｐ３上に出力情報リストＴｐ７（図３５）が表示部３４０に重畳表示される。【０２９８】
ステップＳ５３では、端末制御部３１０により、出力情報のリストの表示をキャンセルするか否か判定される。ここでは、例えば、出力情報リストＴｐ７でキャンセルボタンＢｃがマウスポインタＭＰで押下されることで、出力情報のリストの表示がキャンセルされれば、図４２のステップＳ６１に進み、出力情報のリストの表示がキャンセルされなければ、ステップＳ５４に進む。【０２９９】
ステップＳ５４では、端末制御部３１０により、出力情報を変更する指示が受け付けられる。例えば、出力情報リストＴｐ７上における各種指示が受け付けられる。【０３００】
ステップＳ５５では、端末制御部３１０により、出力情報の変更が決定されたか否か判定される。ここでは、出力情報リストＴｐ７でＯＫボタンＢｏがマウスポインタＭＰで押下されると、出力情報の変更が決定されたものと判定されて、ステップＳ５６に進む。一方、出力情報の変更が決定されていなければ、ステップＳ５３に戻る。【０３０１】
ステップＳ５６では、出力設定情報生成部１１５により、出力設定情報ＤＢ１２４のうち、端末３００を使用中のユーザに係る出力情報が変更される。例えば、出力情報リストＴｐ７における出力情報の表示要素の切り替えに応答して、出力設定情報ＤＢ１２４の出力情報が変更される。【０３０２】
ステップＳ５７では、ステップＳ５６における出力設定情報の変更に応じて、情報検索部１１４ｃによって、結果表示画面データが再度生成され、表示制御部３１２により、変更後の出力情報に応じた入力支援テンプレートＴｐ３が表示部３４０に表示される。【０３０３】
図４２のステップＳ６１では、端末制御部３１０により、新規な読影レポートの登録の指示があったか否か判定される。ここでは、入力支援テンプレートＴｐ３でボタンＢＴ１がマウスポインタＭＰで押下されると、登録の指示があったものと判定されて、ステップＳ６２に進む。一方、登録の指示がなければ、図３６のステップＳ１に戻る。【０３０４】
ステップＳ６２では、レポート構成部３１４およびデータ書込部１１４ｄにより、読影レポート入力画面Ｇ２で作成された読影レポートを構成する所見文や添付画像の内容が確定されて、診療情報ＤＢ２１０に新規な読影レポートが登録される。【０３０５】
ステップＳ６３では、関連情報生成部１１２および組合せ情報生成部１１３により、関連情報ＤＢ１２２および組合せ情報ＤＢ１２３が更新される。ここでは、ステップＳ６２で新規に登録された読影レポートに基づき、単レポート構成化データが生成され、該単レポート構成化データが関連情報ＤＢ１２２に追加されるとともに、該単レポート構成化データに係る要素の組合せを示す情報が、組合せ情報ＤＢ１２３に対して追加される。【０３０６】
ステップＳ６４では、出力設定情報生成部１１５により、ステップＳ６２で新規に登録された読影レポートに含まれる所見文により、新規な語句が追加されたか否か判定される。ここでは、新たな単レポート構造化データを構成する要素に少なくとも１以上の新規な要素（例えば、急性脳梗塞）、すなわち追加情報が含まれていれば、新規な語句が追加されたものと判定されて、ステップＳ６５に進む。一方、新規な語句が追加されていなければ、図３６のステップＳ１に戻る。【０３０７】
ステップＳ６５では、出力設定情報生成部１１５により、追加した新規な語句の出力情報が出力設定情報ＤＢ１２４に記憶される。このとき、出力設定情報ＤＢ１２４では、追加情報を入力したユーザについては、追加情報に対して出力情報「visible」が関連付けられる一方、その他のユーザについては、追加情報に対して出力情報「invisible」が関連付けられる。【０３０８】
ステップＳ６６では、ステップＳ６５における出力情報の追加、すなわち出力設定情報の変更に応じて、情報検索部１１４ｃにより、結果表示画面データが再度生成されるとともに、表示制御部３１２により、変更後の出力情報に応じた入力支援テンプレートＴｐ３が表示部３４０に表示される。ステップＳ６６の処理が終了すると、図３６のステップＳ１に戻る。【０３０９】
このような入力支援動作における図３６のステップＳ１から図４２のステップＳ６６の処理が適宜繰り返されることで、新規な読影レポートが作成される。なお、ユーザが操作部３３０を種々操作することで、入力支援動作が適宜強制的に終了される。【０３１０】
以上のように、本実施形態に係る情報処理システム１では、あるユーザがシステムを使用する場合、他のユーザが追加した情報については、当初は表示されないように設定される。そして、その代わりに、他のユーザが追加した情報の出力情報が変更可能となっている。このため、他のユーザによる追加情報を押し付けられることなく、他のユーザによる追加情報を参照したいときに、出力情報を変更して、他のユーザによる追加情報を容易に参照して利用することができる。すなわち、他のユーザによって追加された情報を参照することができ、且つユーザ自身がデータベースから参照する情報の範囲をカスタマイズすることができる。【０３１１】
したがって、他のユーザが追加した知識（追加情報）を好きなときに、参照、利用することができる。このとき、他のユーザが追加した知識を押し付けられることなく、ユーザ自身がカスタマイズした出力設定を保持したまま、他のユーザが追加した知識を閲覧したいときに、簡単に参照および利用することができる。【０３１２】
また、出力情報には、可視的な出力を許可する情報（例えば、visible）と、可視的な出力を禁止する情報（例えば、invisible）とが含まれる。このため、必要に応じて、他のユーザによる追加情報の提示の許否を容易に変更することができる。【０３１３】
また、他のユーザによる追加情報の可視的な出力が禁止されている状態であっても、特定の動作により、他のユーザによる追加情報が可視的に出力される。このため、出力情報を変更することなく、他のユーザによる追加情報を容易に提示させることができる。特に、参照したい頻度が比較的低い追加情報の提示に有効であり、また、可視的な出力を許可するように設定を変更する動機付けがユーザに与えられる。【０３１４】
＜変形例＞
なお、本発明は上述の実施の形態に限定されるものではなく、本発明の要旨を逸脱しない範囲において種々の変更、改良等が可能である。【０３１５】
◎例えば、上記実施形態では、ユーザごとに出力情報が設定されたが、これに限られず、例えば、端末ごとに出力情報が設定されても良い。換言すれば、上記実施形態では、出力設定情報ＤＢ１２４において、ユーザを特定する識別情報にあたるユーザ名に対して、追加情報を含む各語句の出力情報が関連付けられたが、これに限られない。例えば、端末（例えば、端末３００〜６００など）を特定する識別情報（例えば、識別番号など）に対して、追加情報を含む各語句の出力情報が関連付けられるようにしても良い。【０３１６】
なお、情報の送信元および送信先の端末を特定する手法としては、各端末からサーバ１００に対して情報を送信する際に、該情報に対して付加される端末を特定する識別情報を解析する手法などが考えられる。【０３１７】
また、上記実施形態では、出力設定情報ＤＢ１２４が、サーバ１００に格納されていたが、これに限られない。例えば、各端末に係る出力情報が格納された出力設定情報が、各端末にそれぞれ格納され、各端末において、関連情報ＤＢ１２２から抽出された一部の関連情報が、出力設定情報の出力情報に従って可視的に出力されても良い。【０３１８】
◎また、上記実施形態では、出力情報には、可視的な出力を許可する情報（例えば、visible）と、可視的な出力を禁止する情報（例えば、invisible）とが含まれたが、これに限られない。例えば、出力情報に、特定の動作に対して可視的な出力を禁止する出力情報（例えば、never）を含ませても良い。【０３１９】
具体的には、図２０で示したように、ボタンＢ１〜Ｂ４の何れかを押下するためのユーザの特定の動作に応じて、非表示要素を可視的に出力するリストＣＬ１が表示された際に、出力情報「never」が関連付けられた要素については、リストＣＬ１上において可視的に出力されないような態様が考えられる。このような構成を採用すれば、あるユーザにとって参照するニーズが極めて低い追加情報が可視的に出力されて、情報の参照を阻害するような不具合が回避される。【０３２０】
また、出力情報に、追加情報の使用頻度を示す情報に応じて、可視的な出力を許可する情報（すなわち、visible）と、可視的な出力を禁止する情報（すなわち、invisible）とに切り替わる情報（例えば、default）を含ませても良い。【０３２１】
ここで言う追加情報の使用頻度については、例えば、組合せ情報ＤＢ１２３における要素の組合せの数（回数）などを挙げることができる。この回数は、所見文で使用された要素の組合せの回数、すなわち使用頻度を示すものにあたる。【０３２２】
なお、組合せ情報ＤＢ１２３に記述されている要素の組合せ回数は、情報処理システム１の全ユーザの使用頻度を示すものであるが、これに限られない。例えば、組合せ情報ＤＢ１２３に、ユーザごとに使用頻度を記憶させて該使用頻度を利用する態様、各端末において使用頻度を記憶させて該使用頻度を利用する態様、特定の端末を含む複数の端末からなる所定の端末群ごとに使用頻度を記憶させて該使用頻度を利用する態様などが考えられる。なお、各ユーザ、各端末、各端末群を特定する情報としては、各種ＩＤやパスワードなどを含む識別情報などが考えられる。また、識別情報ごとに使用頻度を記憶させて、該使用頻度を利用する態様や、複数の識別情報からなる識別情報群ごとに使用頻度を記憶させて、該使用頻度を利用する態様なども考えられる。【０３２３】
このような構成を採用することで、追加情報の使用頻度に応じて可視的な出力の許否が変更される状態に設定することができる。このため、追加情報の汎用性に即した情報の提示が可能となる。【０３２４】
なお、上記実施形態では、追加情報については、追加情報を追記したユーザに対して出力情報「visible」が関連付けられ、その他のユーザに対して出力情報「invisible」が関連付けられたが、これに限られない。例えば、追加情報については、追加情報を追記したユーザに対して出力情報「visible」が関連付けられ、その他のユーザに対して出力情報「default」が関連付けられても良い。このような構成を採用した場合に、上記実施形態で説明した出力情報の各種変更方法と同様な手法により、出力情報「default」を他の出力情報（例えば、visible，invisible）に変更可能としても良い。【０３２５】
◎また、上記実施形態では、各要素に対して出力情報が設定されたが、これに限られず、要素の組合せに対して出力情報が設定されても良い。より具体的には、ユーザによって関連情報ＤＢ１２２に要素の組合せを示す各単レポート構造化データ（一般的には、組合せ情報）が追加される際に、追加情報にあたる組合せ情報に対して出力情報（例えば、visible，invisible）が設定されるような態様が考えられる。【０３２６】
図４３は、出力設定情報ＤＢ１２４に、要素の組合せに対して出力情報が関連付けられた情報が含まれる際における出力設定情報ＤＢ１２４のデータ内容を例示する図である。【０３２７】
図４３では、要素の組合せごとに、ユーザを特定する識別情報にあたるユーザ名（例えば、ユーザＡ，Ｂ）に対し、出力情報（例えば、visibleまたはinvisible）がそれぞれ関連付けられたデータテーブルＴＢ４が出力設定情報ＤＢ１２４に格納されている状態が示されている。具体的には、４つの項目（撮影条件、部位、基本所見、診断）にそれぞれ属する４つの要素（例えば、Ｔ１強調像、後頭葉、高信号域、ラクナ梗塞）の組合せごとに、ユーザ名に対して、出力情報（visibleまたはinvisible）が関連付けられている。【０３２８】
このような構成を採用すれば、要素の組合せごとに可視的な出力の許否が設定がされるため、ユーザごとの知識をより反映した追加情報について可視的な出力の許否などといった可視的な出力条件をカスタマイズすることができる。【０３２９】
◎また、上記実施形態では、情報処理システム１が、複数のサーバ１００，２００および複数の端末３００〜６００を備えて構成されたが、これに限られない。【０３３０】
例えば、情報処理システムを構成する端末が１台のみであり、１台の端末から入力されるＩＤやパスワードによって、ユーザが認識され、各ユーザに係る出力設定情報に応じた表示が行われるようにしても良い。【０３３１】
また、例えば、情報処理システム１の機能構成が、１台の機器のＣＰＵ等によって構成される制御部で１つのプログラムが実行されることで実現されても良いし、複数台の機器のＣＰＵ等によって構成される各制御部でそれぞれプログラムが実行されて、複数台の機器が協働して、上記実施形態に係る情報処理システム１の機能構成が実現されても良い。【０３３２】
◎また、上記実施形態では、ユーザごとに出力設定情報の変更が行われていたが、これに限られず、例えば、複数のユーザからなるユーザ群や、複数の端末からなる端末群に対し、一括して出力設定情報の変更が行われるようにしても良い。このような態様を実現するためには、例えば、ユーザを特定する識別情報を複数個集めた識別情報群や、端末を特定する識別情報を複数個集めた識別情報群に対して、出力設定情報が設定されるような構成とすれば良い。【０３３３】
◎また、上記実施形態では、データ構築部１１２ｃにより  予め教師データで与えられた要素についてのみ、要素の項目が識別されるが、いわゆるＳＶＭ（Support Vector Machine）を利用した機械学習を用いて、予め教師データで与えられていなかった要素についても、要素の項目が識別されるようにしても良い。【０３３４】
例えば、データ構築部１１２ｃの機械学習機能により、学習用コーパスを形態素解析によって形態素に分解し、形態素毎に、形態素そのもの、形態素の品詞、形態素の活用形、前後（例えば前後２つ）の形態素の情報等を用いて、ある項目に属する形態素が出現するパターン（出現パターン）を学習し、その出現パターンに従って、予め与えられていなかった要素について、要素の分類項目を認識するようにしても良い。【０３３５】
◎また、上記実施形態では、テンプレートＴｐ３において、項目間における要素の関連が可視的に示されなかったが、これに限られず、相互に隣り合う順序の各項目間で、一部関連情報で関連付けられる要素間の関連が可視的に認識可能な要素（関連表示要素、例えば実線など）として付与されても良い。【０３３６】
◎また、上記実施形態では、モダリティとして、ＭＲ、ＣＲ、およびＣＴを挙げて説明したが、これに限られず、内視鏡、および超音波検査などに係るその他の画像診断装置をモダリティに含ませても良い。【０３３７】
◎また、上記実施形態では、放射線を用いて得られた画像を読影して読影レポートを作成するシステムを例にとって説明したが、これに限られない。例えば、看護レポートやインシデントレポートなどといったその他の医療用のレポートを作成するシステムについても本発明を適用することができる。また、例えば、営業レポートなどといった医療以外の分野のレポートの作成についても本発明を適用することができ、更にレポート以外の分野にもついても本発明を適用することができる。【０３３８】
◎また、上記実施形態では、放射線を用いて得られた画像を読影して読影レポートを作成する作業を支援するシステムを例にとって説明したが、これに限られず、本発明は、例えば、画像診断の支援などといったその他の用途にも適用可能である。【０３３９】
具体的には、図１７で示した入力支援テンプレートＴｐ３において、４項目に対してそれぞれ語句（指定語句）を指定する際、各項目に属する語句が指定される度に、情報検索部１１４ｃにより、組合せ情報ＤＢ１２３の図６で示したような組合せ回数が参照されて、指定されている全ての指定語句を含む選択肢（語句）の組合せの回数が所定数（例えば、１０回）以上である選択肢の組合せについては、入力支援テンプレートＴｐ３において指定語句以外の１以上の選択肢が他の選択肢とは異なる色で表示されるなどといった区別可能な態様で表示されても良い。【０３４０】
例えば、項目「撮像条件」に対して「Ｔ２強調像」が指定され、項目「部位」に対して「小脳」が指定され、項目「基本所見」に対して「低信号域」が指定された場合に、情報検索部１１４ｃによって、組合せ回数が所定数以上である選択肢の組合せ「Ｔ２強調像−小脳−低信号域−脳梗塞」が認識されて、入力支援テンプレートＴｐ３において項目「診断」に属する選択肢「脳梗塞」が他の選択肢とは区別可能な態様で表示されるような態様が考えられる。このような構成によれば、撮影条件、部位、および基本所見について選択肢が指定されれば、診断結果が示唆されるため、読影医によるレポート作成や担当医による診断が支援される。【０３４１】
更に、本発明は、医療現場における各種ミーティングやインフォームドコンセントなどにおいて用いる今後の治療に係る行動の指針や、営業現場におけるクレーム対応などにおける対処方法に係る行動の指針となる情報を提供する場合一般に適用することができ、状況に応じて行動の指針となる情報を容易に提供することができる。【０３４２】
例えば、上記実施形態の４項目「撮影条件」「部位」「基本所見」「診断」に加えて「処置」「投薬」「手術」「経過」などといったその他の項目を加える態様が考えられる。そして、各項目に対してそれぞれ語句（指定語句）を指定する際、各項目に属する語句が指定される度に、情報検索部１１４ｃにより、組合せ情報ＤＢ１２３の組合せ回数が参照されて、指定されている全ての指定語句を含む選択肢（語句）の組合せの回数が所定数（例えば、１０回）以上である選択肢の組合せについては、入力支援テンプレートＴｐ３において指定語句以外の１以上の選択肢が他の選択肢とは異なる色で表示されるなどといった区別可能な態様で表示される態様が考えられる。このような態様を採用すれば、例えば、医療現場において、診断結果に対して採りうる「処置」「投薬」「手術」の内容が指定されると、その「経過」の情報が得られ、このような情報の提供は、各種ミーティングやインフォームドコンセントの場面における判断の支援に役立つ。【０３４３】
◎また、上記実施形態では、放射線を用いて得られた画像を読影して読影レポートを作成する作業を支援するシステムを例にとって説明したため、複数の項目が「撮影条件」「部位」「基本所見」「診断」などであったが、これに限られない。例えば、生化学検査などその他の検査結果に係るレポートの作成を支援するために、「ヘモグロビン」「γ−ＧＴＰ」などといったその他の検査項目を複数の項目に含ませても良い。【０３４４】
◎また、上記実施形態では、病院内で診察情報を管理・処理するための情報処理システム１を例にとって説明したため、ＬＡＮ等のネットワーク回線ＬＮに、入力支援サーバ１００、ＰＡＣＳサーバ２００、端末３００〜６００が相互にデータ送受信可能に接続されて構成されたが、これに限られない。例えば、端末３００〜６００が、各個人病院に接地され、インターネット回線を介して、入力支援サーバ１００にデータ送受信可能に接続される構成であっても良い。なお、このような構成では、ＰＡＣＳサーバ２００は用いられず、例えば、各端末３００〜６００にＰＡＣＳサーバ２００と同じ機能が搭載されていても良いし、病院ごとにＰＡＣＳサーバ２００と同じ機能のサーバが設置されても良い。【０３４５】
◎また、上記実施形態では、レポートの入力に応じて、関連情報ＤＢ１２２および組合せ情報ＤＢ１２３の内容が更新されたが、これに限られない。例えば、ＬＡＮやインターネットなどのネットワーク回線を介して、端末から複数の項目にそれぞれ属する複数の語句の組合せの情報が入力支援サーバ１００に入力されて、関連情報ＤＢ１２２および組合せ情報ＤＢ１２３の内容が更新されるような態様も考えられる。このような態様では、各専門家によって多くの専門知識を関連情報ＤＢ１２２および組合せ情報ＤＢ１２３に反映させることが可能となり、有効利用が可能な過去の知識を容易に充実化させることが可能となる。【０３４６】
また、例えば、入力支援サーバ１００において、関連情報ＤＢ１２２および組合せ情報ＤＢ１２３の内容が一括してバージョンアップされるような構成も考えられる。図４４は、このような変形例に係る入力支援サーバ１００の主な機能構成を示すブロック図である。図４４では、図２で示されたブロック図のサーバ制御部１１０の機能に一括更新部１１６が加えられたブロック図が示されている。このような構成では、例えば、特定の管理用の端末から入力支援サーバ１００に対して、元の関連情報ＤＢ１２２および組合せ情報ＤＢ１２３の情報内容とは異なる他の複数の要素が蓄積された情報内容が入力され、一括更新部１１６によって、関連情報ＤＢ１２２および組合せ情報ＤＢ１２３の情報内容が他の複数の要素が蓄積された情報内容に一括して更新される。但し、出力設定情報１２４については、関連情報ＤＢ１２２および組合せ情報ＤＢ１２３とは別個に記憶部１２０に記憶されているため、関連情報ＤＢ１２２および組合せ情報ＤＢ１２３の情報内容が一括して更新されても、出力設定情報１２４の内容については維持されるようにすることが好ましい。このような態様によれば、関連情報ＤＢ１２２および組合せ情報ＤＢ１２３の情報内容の一括更新までにユーザ自身がカスタマイズした設定内容を有効利用することが可能となる。また、データベースから参照する情報の範囲についてカスタマイズした設定内容をユーザ自身が再度設定し直す必要性がなくなり、ユーザにカスタマイズのための煩雑な作業を強いることもない。
【図１】
0005392086.tif 000002
【図２】
0005392086.tif 000003
【図３】
0005392086.tif 000004
【図４】
0005392086.tif 000005
【図５】
0005392086.tif 000006
【図６】
0005392086.tif 000007
【図７】
0005392086.tif 000008
【図８】
0005392086.tif 000009
【図９】
0005392086.tif 000010
【図１０】
0005392086.tif 000011
【図１１】
0005392086.tif 000012
【図１２】
0005392086.tif 000013
【図１３】
0005392086.tif 000014
【図１４】
0005392086.tif 000015
【図１５】
0005392086.tif 000016
【図１６】
0005392086.tif 000017
【図１７】
0005392086.tif 000018
【図１８】
0005392086.tif 000019
【図１９】
0005392086.tif 000020
【図２０】
0005392086.tif 000021
【図２１】
0005392086.tif 000022
【図２２】
0005392086.tif 000023
【図２３】
0005392086.tif 000024
【図２４】
0005392086.tif 000025
【図２５】
0005392086.tif 000026
【図２６】
0005392086.tif 000027
【図２７】
0005392086.tif 000028
【図２８】
0005392086.tif 000029
【図２９】
0005392086.tif 000030
【図３０】
0005392086.tif 000031
【図３１】
0005392086.tif 000032
【図３２】
0005392086.tif 000033
【図３３】
0005392086.tif 000034
【図３４】
0005392086.tif 000035
【図３５】
0005392086.tif 000036
【図３６】
0005392086.tif 000037
【図３７】
0005392086.tif 000038
【図３８】
0005392086.tif 000039
【図３９】
0005392086.tif 000040
【図４０】
0005392086.tif 000041
【図４１】
0005392086.tif 000042
【図４２】
0005392086.tif 000043
【図４３】
0005392086.tif 000044
【図４４】
0005392086.tif 000045